(57)【要約】【課題】簡易的な構成により、電力供給停止時における遊技者の損失を防ぐことができる封入式のパチンコ機を提供する。【解決手段】封入式のパチンコ機の主制御装置は、遊技中に停電が発生すると、払出制御装置に持球情報を送信すると共に（Ｓ１０９１）、持球情報を更新し、持球数を０に設定することで（Ｓ１０９２）、遊技を終了させる。一方、持球情報を受信した払出制御装置は、ＣＲユニットに該持球情報を送信し、該持球情報をＣＲユニットに退避させる。【選択図】図２９
2014166302.tif 000002
【特許請求の範囲】
【請求項１】
挿入された記憶媒体に記憶された残高情報が示す金額、或いは、投入された金額の範囲内で、球貸しを行うための貸出金額の設定を受け付けるカードユニットから、該貸出金額に対応する球貸し情報を取得すると、該球貸し情報に応じた持球数を示す持球情報、或いは、その時点の持球数と該球貸し情報に応じた持球数とを合算した持球数を示す前記持球情報を記憶すると共に、遊技終了操作に従って、その時点における前記持球情報を前記カードユニットに出力する入出力手段と、
封入された遊技球の発射に従って前記持球情報を更新し、該持球情報が示す持球数を減算すると共に、発射された遊技球の入賞に応じて前記持球情報を更新し、該持球情報が示す持球数を加算する更新手段と、
自装置への電力供給の停止を検出する検出手段と、
前記電力供給の停止後、一定期間にわたり自装置の各部位に電力を供給する供給手段と、
前記検出手段により前記電力供給の停止が検出されると、前記遊技終了操作が行われていなくても、前記カードユニットに対し、前記持球情報を出力する強制出力手段と、
を備えることを特徴とする封入式遊技機。
【請求項２】
請求項１に記載の封入式遊技機において、
前記強制出力手段は、前記持球情報を出力する際に、強制的に遊技を終了させ、
前記強制出力手段により前記カードユニットに対し前記持球情報が出力された後、所定時間内に前記電力供給が再開されると、前記カードユニットから該持球情報を取得すると共に、該持球情報に応じた持球数と、自装置に記憶されている前記持球情報が示す持球数とが一致する場合には、自装置に記憶されている前記持球情報により遊技を再開させる第１復帰手段をさらに備えること、
を特徴とする封入式遊技機。
【請求項３】
請求項１または請求項２に記載の封入式遊技機において、
前記強制出力手段は、前記持球情報を出力する際に、強制的に遊技を終了させ、
前記強制出力手段により前記カードユニットに対し前記持球情報が出力された後、所定時間内に前記電力供給が再開されると、前記カードユニットから該持球情報を取得すると共に、該持球情報に応じた持球数と、自装置に記憶されている前記持球情報が示す持球数とが一致しない場合には、前記カードユニットから取得した前記持球情報を新たに記憶させ、新たに記憶した前記持球情報により遊技を再開させる第２復帰手段をさらに備えること、
を特徴とする封入式遊技機。
【発明の詳細な説明】
【技術分野】
【０００１】
本発明は、内部に封入された遊技球を循環的に使用して遊技を行う封入式遊技機に関する。
【背景技術】
【０００２】
封入式遊技機では、遊技者の持球数は持球情報として管理されており、遊技球の発射や入賞に応じて持球数をカウントし、持球情報を更新する構成となっている。このため、封入式遊技機への電力供給が停止した場合には、封入式遊技機に記憶されている持球情報が破壊され、遊技者に損失が生じるおそれがある。
【０００３】
一方、特許文献１〜３等には、コンピュータにより各弾球遊技機における賞球数やアウト球数等を集中管理するシステムが知られており、このようなシステムによれば、各封入式遊技機における持球情報をコンピュータで集中管理することが可能となる。これにより、封入式遊技機への電力供給が停止し、持球情報が破壊された場合であっても、コンピュータに保存されている停止前の持球情報により遊技者の損失を補填することが可能となる。
【先行技術文献】
【特許文献】
【０００４】
【特許文献１】特開平６−７５２９号公報
【特許文献２】特開平８−３３７６３号公報
【特許文献３】特開平８−３２３０２３号公報
【発明の概要】
【発明が解決しようとする課題】
【０００５】
しかしながら、このようなシステムを導入するとなると、各封入式遊技機をコンピュータに接続してネットワークを構築する必要があり、構成が複雑化してしまう。また、特許文献１〜３には、電力供給が停止した弾球遊技機の持球数をどのようにして保存するか記載されていない。
【０００６】
本願発明は上記課題に鑑みてなされたものであり、簡易的な構成により、電力供給停止時における遊技者の損失を防ぐことができる封入式遊技機を提供することを目的とする。
【課題を解決するための手段】
【０００７】
上記課題に鑑みてなされた請求項１に係る発明は、挿入された記憶媒体に記憶された残高情報が示す金額、或いは、投入された金額の範囲内で、球貸しを行うための貸出金額の設定を受け付けるカードユニットから、該貸出金額に対応する球貸し情報を取得すると、該球貸し情報に応じた持球数を示す持球情報、或いは、その時点の持球数と該球貸し情報に応じた持球数とを合算した持球数を示す持球情報を記憶すると共に、遊技終了操作に従って、その時点における持球情報をカードユニットに出力する入出力手段と、封入された遊技球の発射に従って持球情報を更新し、該持球情報が示す持球数を減算すると共に、発射された遊技球の入賞に応じて持球情報を更新し、該持球情報が示す持球数を加算する更新手段と、自装置への電力供給の停止を検出する検出手段と、電力供給の停止後、一定期間にわたり自装置の各部位に電力を供給する供給手段と、検出手段により電力供給の停止が検出されると、遊技終了操作が行われていなくても、カードユニットに対し、持球情報を出力する強制出力手段と、を備えることを特徴とする封入式遊技機に関するものである。
【０００８】
このような構成によれば、封入式遊技機への電力供給が停止した際には、封入式遊技機に併設されたカードユニットに持球情報を退避させることができるため、電力供給の停止により持球情報が破壊された場合であっても、退避された持球情報により遊技者の損失を補填することが可能となる。
【０００９】
また、封入式遊技機にカードユニットを併設させるだけで良いため、封入式遊技機によりネットワークを構築する場合等に比べ、簡易的な構成とすることができる。
したがって、簡易的な構成により、電力供給停止時における遊技者の損失を防ぐことができる。
【００１０】
なお、電力供給が停止した際には、封入式遊技機は、カードユニットに対し、電力供給の停止が生じた旨を示すデータと共に持球情報を出力するのが望ましい。これにより、カードユニットは、電力供給停止時に取得した持球情報と、遊技終了操作がなされた際に封入式遊技機から取得した持球情報とを区別することができ、遊技者の損失の補填を容易且つ確実に行うことが可能となる。
【００１１】
また、電力供給停止時に持球情報を取得したカードユニットは、該持球情報を挿入されている記憶媒体に書き込んでも良い。また、封入式遊技機への電力供給が停止した際には、併設されたカードユニットへの電力供給も停止してしまうおそれがあるため、カードユニットにもバックアップ電源を搭載しておくのが望ましい。また、電力供給の停止時には、封入式遊技機の供給手段によりカードユニットに電力を供給する構成としても良い。
【００１２】
また、封入式遊技機は、電力供給停止時に、併設されたカードユニットに対し、電力供給停止信号を出力する構成としても良く、これにより、カードユニットは、封入式遊技機と連動して持球情報の保存等を行うことができる。
【００１３】
また、カードユニットは、残高情報が記憶された記憶媒体の挿入と、球貸しを行うための金銭を投入することが可能な構成であっても良いし、単に該記憶媒体の挿入のみが可能な構成であっても良い。
【００１４】
金銭を投入可能な構成とした場合には、カードユニットに金銭が投入されると、その金額を示す残高情報を挿入された記憶媒体に記憶される。また、球貸しがなされた場合には、挿入された記憶媒体に記憶されている残高情報が更新され、該残高情報が示す金額から球貸しに用いられた貸出金額分が減額される。また、カードユニットは、遊技が終了した封入式遊技機から持球情報を取得すると、該持球情報を挿入されている記憶媒体に記憶する。
【００１５】
また、請求項２に記載されているように、強制出力手段は、持球情報を出力する際に、強制的に遊技を終了させ、封入式遊技機は、強制出力手段によりカードユニットに対し持球情報が出力された後、所定時間内に電力供給が再開されると、カードユニットから該持球情報を取得すると共に、該持球情報に応じた持球数と、自装置に記憶されている持球情報が示す持球数とが一致する場合には、自装置に記憶されている持球情報により遊技を再開させる第１復帰手段をさらに備えていても良い。
【００１６】
なお、「強制的に遊技を終了させる」とは、遊技球を発射できなくなる状態とすれば良く、強制終了によりカードユニットに持球情報が出力された際には、持球情報を初期化し、持球数を０とするのが好適である。これにより、発射ハンドルを操作していても遊技球が発射されることは無く、遊技者に違和感を与えたり、故障が生じたとの誤解を与えることが無くなる。また、従来のように、遊技球の発射装置への電力供給を停止させる等の必要が無くなり、簡易的な構成により遊技を終了させることができる。
【００１７】
こうすることにより、電力供給の停止により封入式遊技機に記憶されている持球情報が破壊されなかった場合（封入式遊技機に記憶されている持球情報と、電力供給再開時にカードユニットから取得した持球情報とが一致する場合）には、電力供給の再開後、直ちに遊技を再開することができる。
【００１８】
また、カードユニットに退避された持球情報との比較により、封入式遊技機に記憶されている持球情報が破壊されたか否かが判定されるため、該判定を正確に行うことができる。このため、遊技者の持球数が本来の持球数から減少したり増加したりするのを防ぐことができ、遊技者やパチンコ店に損失を与えることが無い。
【００１９】
なお、電力供給の再開が遅れた場合には、復帰手段による遊技の再開がなされないことにはなるが、このような場合には、カードユニット側で保存された持球情報により遊技者の損失が補填されることになる。
【００２０】
また、封入式遊技機は、電力供給の再開時に、カードユニットに対して退避された持球情報の送信を要求する信号を出力する構成が好ましい。しかしながら、これに限らず、カードユニットは、持球情報と共に電力供給の停止が生じた旨を示すデータを受信している場合には、例えば周期的なタイミングで、自発的に、封入式遊技機に対し退避された持球情報を出力する構成とすることも考えられる。
【００２１】
また、請求項３に記載されているように、強制出力手段は、持球情報を出力する際に、強制的に遊技を終了させ、封入式遊技機は、強制出力手段によりカードユニットに対し持球情報が出力された後、所定時間内に電力供給が再開されると、カードユニットから該持球情報を取得すると共に、該持球情報に応じた持球数と、自装置に記憶されている持球情報が示す持球数とが一致しない場合には、カードユニットから取得した持球情報を新たに記憶させ、新たに記憶した持球情報により遊技を再開させる第２復帰手段をさらに備えていても良い。
【００２２】
このような構成によれば、カードユニットに退避された持球情報により遊技が再開される。このため、信頼性の高い持球情報により遊技を再開することができ、電力供給の再開後、遊技者やパチンコ店に損失を与えること無く直ちに遊技を再開することができる。
【００２３】
ところで、従来、内部に封入された遊技球を循環的に使用し、持球の数をデータとして管理して遊技を行う封入式の弾球遊技機が知られているが、このような封入式の弾球遊技機では、遊技終了時にＩＣカードに保存された持球の数に基づき景品との交換がなされる（例えば、特開２０１２−２４２０３号公報）。このため、従来のように、ドル箱に貯めた遊技球の数をジェットカウンタでカウントし、景品と交換する必要が無くなり、遊技球の交換時の手間を大幅に省くことができる。
【００２４】
ここで、弾球遊技機や回胴式遊技機での遊技で獲得した遊技媒体（遊技球や遊技メダル）を景品に交換する際の交換レートは、一般的に１遊技媒体あたりの交換時の単価が貸出時の単価以下に設定されており、遊技媒体の貸出時には、同数の遊技媒体を交換した際に得られる景品の金額以上の料金を支払う必要がある。
【００２５】
この交換レートは主に地域によって異なっているが、中には、１遊技媒体あたりの交換時の単価と貸出時の単価が同じである等価交換が主流となっている地域もあり、等価交換の場合、同じ出玉でより多くの景品を獲得できるため遊技者に有利な面もある。
【００２６】
しかしながら、パチンコ店としては、経営上、遊技媒体の貸出により徴収した料金の総額以上の金額分の景品を遊技者に還元することはできない。このため、交換レートを等価交換とした場合、パチンコ店全体としての出玉率（賞球の総数を遊技にて発射された遊技球の総数で除算した値）を１００％未満とする必要があり、実体的には該出玉率はおよそ８０％以下に抑えられていると考えられる。
【００２７】
その結果、遊技者に多くの遊技球を獲得できたという満足感（出玉感）を与えることができず、遊技者が遊技の面白さを味わうことができないという弊害が生じており、これにより客離れが生じるおそれがある。
【００２８】
以下の発明は上記課題に鑑みてなされたものであり、遊技者に十分な出玉感を与えることができるカード式の遊技機を提供することを目的とする。
上記課題に鑑みてなされた第１の発明は、記憶媒体に保存された残高情報により貸し出された遊技媒体である手持遊技媒体を用いて遊技を行うカード式の遊技機であって、遊技者の操作に応じて遊技を進行させる遊技制御手段と、遊技の進行に伴い、遊技者が遊技に用いることができる手持遊技媒体の数をカウントするカウント手段と、遊技媒体を貸し出す際の貸出金額の設定を受け付ける貸出受付手段と、予め定められた貸出ルールに従い、貸出受付手段を介して設定された貸出金額に応じた遊技媒体の数を算出する貸出算出手段と、遊技媒体の貸し出しに用いられる記憶媒体に保存された残高情報により、貸出受付手段を介して設定された貸出金額に応じた遊技媒体の貸し出しが可能か否かを判定する判定手段と、判定手段により肯定判定がなされると、該判定に係る貸出金額に応じて貸出算出手段により算出された数の遊技媒体を手持遊技媒体として遊技者に貸し出す貸出手段と、予め定められた更新条件が満たされた際に、予め定められた交換ルールに従い、その時点における手持遊技媒体の数に応じた払出金額を算出し、該払出金額を記憶媒体に保存させると共に、該手持遊技媒体での遊技を中止させる払出手段と、を備え、交換ルールとは、手持遊技媒体の数に応じた払出金額を、貸出ルールに従い算出された同数の遊技媒体の貸出金額よりも低くなるように算出するというルールであること、を特徴とする。
【００２９】
このようなカード式に遊技機によれば、記憶媒体に保存された残高情報に基づき球貸し（遊技媒体の貸し出し）がなされると共に、更新条件が成立すると、その時点の遊技者の手持遊技媒体の数に応じた払出金額が算出され、記憶媒体に保存される。そして、例えば、遊技者が記憶媒体をパチンコ店の店員等に提示し、これを提示された店員が記憶媒体に保存された払出金額の範囲内で景品を提供することで、手持遊技媒体が景品に交換される。
【００３０】
また、この払出金額は、同数の遊技媒体の球貸しの際に支払われる貸出金額よりも低くなるように算出されるため、パチンコ店は、払出金額を算出する段階で、貸し出した遊技媒体の数（換言すれば、カード式の遊技機で遊技が行われた度合い）に応じて施設使用料等の付加料金を徴収することができる。このため、仮にカード式の遊技機の出玉率を１００％以上にしたとしても、パチンコ店の経営上必要となる料金を確実に徴収することができる。
【００３１】
なお、出玉率とは、遊技者が遊技によりどの程度の遊技媒体を獲得できるかを示す指標であり、具体的には、例えば、弾球遊技機の場合であれば、賞球の総数を遊技にて発射された遊技球の総数で除算した値を出球率と捉えても良いし、回胴式遊技機の場合であれば、賞メダルの総数をベットされた遊技メダルの総数で除算した値を出球率と捉えても良い。
【００３２】
さらに、更新条件が満たされると、その時点で遊技者が有する手持遊技媒体が精算され、手持遊技媒体の数に応じた払出金額が算出されて記憶媒体に保存されると共に、手持遊技媒体を用いた遊技が終了される。このため、例えば、手持遊技媒体の数や遊技の状況に基づき更新条件を設定することで、遊技で獲得した手持遊技媒体を用いて行われる持たせ遊技を自動的に終了させることができ、これにより持たせ遊技に制限を課すことが可能となるため、遊技者に過剰に遊技媒体が付与されるのを防ぐことができる。
【００３３】
また、何らかのトラブルにより、手持遊技媒体の消失や、正常な遊技が行われない等の事態が生じると、遊技者が損失を被り、出玉感が損なわれてしまうおそれがある。しかし、このようなトラブルの発生を更新条件として手持遊技媒体の精算を行うことで、遊技者の手持遊技媒体を保護し、出玉感が損なわれることを防ぐことができる。
【００３４】
したがって、第１の発明に係るカード式の遊技機によれば、パチンコ店は、損失を被ること無く出玉率を向上させることができると共に、遊技者の手持遊技媒体を確実に保護することができ、遊技者に十分な出玉感を与えることが可能となる。
【００３５】
なお、払出金額を記憶媒体に保存させるとは、単に払出金額を示すデータを記憶媒体に保存することであっても良いし、例えば、記憶媒体に保存されている残高情報を更新して残高に払出金額を加算し、払出金額を残高として保存することであっても良い。
【００３６】
なお、貸出ルールとは、１つの遊技媒体を貸し出す際の料金として予め定められた基本単価と、予め定められた数の遊技媒体を貸し出す際に課される付加料金とに基づき、貸出金額に応じた遊技媒体の数を算出するというものであり、交換ルールとは、基本単価と、その時点における手持遊技媒体の数とを乗算することで払出金額を算出するものであっても良い（第２の発明）。
【００３７】
こうすることにより、パチンコ店は、貸し出した遊技媒体の数に応じて施設使用料等を徴収することができ、出玉率を１００％以上にしたとしても、パチンコ店の経営上必要となる料金を確実に徴収することができる。したがって、損失を被ること無く出玉率を向上させることができ、遊技者に十分な出玉感を与えることが可能となる。
【００３８】
また、第３の発明は、記憶媒体に保存された残高情報により貸し出された遊技媒体である手持遊技媒体を用いて遊技を行うカード式の遊技機であって、遊技者の操作に応じて遊技を進行させる遊技制御手段と、遊技の進行に伴い、遊技者が遊技に用いることができる手持遊技媒体の数をカウントするカウント手段と、遊技媒体を貸し出す際の貸出金額の設定を受け付ける貸出受付手段と、予め定められた貸出ルールに従い、貸出受付手段を介して設定された貸出金額に応じた遊技媒体の数を算出する貸出算出手段と、遊技媒体の貸し出しに用いられる記憶媒体に保存された残高情報により、貸出受付手段を介して設定された貸出金額に応じた遊技媒体の貸し出しが可能か否かを判定する判定手段と、判定手段により肯定判定がなされると、該判定に係る貸出金額に応じて貸出算出手段により算出された数の遊技媒体を手持遊技媒体として遊技者に貸し出す貸出手段と、予め定められた更新条件が満たされた際に、その時点における手持遊技媒体の数を減少させる減少手段と、を備えることを特徴とする。
【００３９】
このような構成によれば、更新条件が満たされると手持遊技媒体の数が減ぜられるため、これにより、パチンコ店は、減少した分の手持遊技媒体の数に球貸しの際の単価を乗算した金額を、施設使用料等の付加料金として徴収することができる。このため、出玉率を抑えなくても、パチンコ店の経営上必要となる料金を確実に徴収することができる。
【００４０】
したがって、パチンコ店は、損失を被ること無く出玉率を向上させることができ、遊技者に十分な出玉感を与えることが可能となる。
ここで、遊技制御手段は、予め定められた条件が満たされると、大量の遊技媒体を獲得可能な大当り遊技を行い、更新条件とは、大当り遊技が終了するという条件であっても良い（第４の発明）。
【００４１】
こうすることにより、遊技者が大当り遊技により一定の利益を得た時点で施設使用料等を徴収することができるため、施設使用料等を支払うことへの遊技者の不満を抑えることができる。
【００４２】
また、従来、例えば、弾球遊技機での大当り遊技の終了後に持球を全て交換するというルールを設け、持たせ遊技を禁止しているパチンコ店が存在する。そして、このようなパチンコ店では、店員が各弾球遊技機での遊技の状況を監視し、大当り遊技が終了した際に店員が弾球遊技機のもとを訪れて遊技者の持球を交換していた。
【００４３】
しかしながら、第４の発明に係るカード式の遊技機によれば、大当り遊技の終了により自動的に精算がなされるため、店員が各遊技機を監視したり、大当り遊技が終了した際に持球を交換する等の必要が無くなり、パチンコ店の運営コストを大幅に低下させることができる。
【００４４】
さらに、カード式の遊技機は、遊技媒体として遊技球が用いられる弾球遊技機として構成されており、遊技制御手段は、始動口への入球に起因して乱数を抽出すると共に、該乱数に基づき大当り抽選を行い、該大当り抽選に当選すると、大入賞口の開放を伴う大当り遊技を行い、大当り抽選に伴い、表示部を介して複数の種類の図柄を用いて変動表示を行い、いずれかの図柄を停止表示させることで該大当り抽選の結果を報知し、大当り抽選に当選した際には、表示部を介して、該大当り抽選に係る乱数に応じた図柄を停止表示させ、更新条件とは、予め定められた図柄が停止表示されて大当り抽選に当選した後、該当選により開始された大当り遊技が終了するという条件であっても良い（第５の発明）。
【００４５】
このような弾球遊技機によれば、予め定められた図柄（交換図柄）での大当りにより開始された大当り遊技が終了した場合に限り持球の精算がなされ、交換図柄以外の他の図柄で大当りとなった場合には、少なくとも次回の大当りまでは持たせ遊技を行うことが可能となる。
【００４６】
持たせ遊技中は、遊技者は持球を多く有した状態で遊技を行い、更なる賞球の獲得にチャレンジすることができるため、持たせ遊技を可能とすることで、遊技者に対しより一層出玉感を与えることができる。
【００４７】
なお、カード式の遊技機を、更新条件に係る予め定められた図柄の設定を受け付ける更新条件受付手段をさらに備える構成としても良い（第６の発明）。
このような構成によれば、パチンコ店にて交換図柄を自由に設定することができ、出玉率を柔軟に調整することが可能となる。
【００４８】
また、更新条件とは、カウント手段によりカウントされた手持遊技媒体の数が予め定められた上限数に達したという条件であっても良い（第７の発明）。
こうすることにより、遊技者が一定の利益を得た時点で施設使用料等を徴収することができるため、施設使用料等を支払うことへの遊技者の不満を抑えることができる。
【００４９】
また、従来、例えば弾球遊技機での遊技に関して、持球が一定の量（例えば、所定数のドル箱分）に達した時点で持球を全て交換するルールを設け、持たせ遊技に一定の制限を課しているパチンコ店が存在する。そして、このようなパチンコ店では、店員が各弾球遊技機における持球を監視し、持球が一定の量に達した際に店員が弾球遊技機のもとを訪れて持球を交換していた。
【００５０】
しかしながら、第７の発明に係るカード式の遊技機によれば、手持遊技媒体の数が所定数に達した時点で自動的に精算がなされるため、店員が各遊技機を監視したり、手持遊技媒体を交換する必要が無くなり、パチンコ店の運営コストを大幅に低下させることができる。
【００５１】
しかしながら、遊技者が遊技に投入した金額に関らず、手持遊技媒体の数が一律な上限数に達した時点で精算がされてしまうと、遊技者に損失が生じているにも関らず施設使用料等が徴収されてしまい、遊技者に不満を与えてしまうおそれがある。
【００５２】
そこで、第８の発明に係るカード式の遊技機は、カウント手段によりカウントされた手持遊技媒体の数と、貸出手段により貸し出された手持遊技媒体の数との差分を算出する差分算出手段をさらに備え、更新条件とは、差分が予め定められた上限数に達したという条件となっている。
【００５３】
遊技者が保持している手持遊技媒体の数と貸し出された遊技媒体の数との差分は、遊技者の実質的な利益を示すが、このような構成によれば、遊技者の実質的な利益が一定の水準に達した時点で施設使用料等を徴収することができる。このため、施設使用料等を支払うことへの遊技者の不満を抑えることができる。
【００５４】
また、従来は、パチンコ店の店員は、各遊技者の遊技への投入金額を正確に把握することが困難であった。このため、弾球遊技機での持たせ遊技に制限を一定の課す場合等には、持球が一定の量に達した時点で一律に持球を交換するしかなく、その結果、遊技に多くの金額を投入した遊技者に不満を与えていた。
【００５５】
しかしながら、第８の発明に係るカード式の遊技機によれば、遊技者の実質的な利益に応じて持たせ遊技に制限を課すことができ、遊技に多くの金額を投入した遊技者の不満を取り除くことができる。
【００５６】
さらに、遊技者の実質的な利益が一定の水準に達した時点で自動的に精算がなされるため、店員が各遊技機を監視したり、手持遊技媒体を交換する必要が無くなり、パチンコ店の運営コストを大幅に低下させることができる。
【００５７】
なお、カウント手段によりカウントされた手持遊技媒体の数とは、入賞又は入球により遊技者が獲得することになる遊技媒体の総数であり、遊技制御手段がカウントする構成でも良く、カードユニットとの中継制御を行う払い出し制御手段（払出制御装置）でカウントする構成でも良く、データとして記憶される。
【００５８】
また、貸出手段により貸し出された手持遊技媒体の数とは、残高情報に記憶された金額の範囲内で遊技に使用する金額に対応した遊技者に貸し出される遊技媒体の数であり、データとして記憶される。
【００５９】
差分算出手段は、手持遊技媒体の数が零になり遊技球を発射することができなくなった時点で、新たに残高情報に記憶された金額の範囲内で追加金額に対応した手持遊技媒体の数を加算する構成が考えられる。要は、手持遊技媒体の数が零になり遊技球を発射することができなくなった時点で遊技を終了しない限り、投資金額に対応した手持ち遊技媒体の数をクリアすることなく、追加金額に対応した手持ち遊技媒体の数を加算する構成であれば良い。
【００６０】
これにより、追加金額が投入され、打ち止めがかけられても、遊技者の利益を損ねることはく、ホールの店員が追加打ち止め数を追加する処理も省かれる。
また、弾球遊技機の遊技状態として、大当り抽選の当選確率が上昇する確変状態や、始動口への入球確率が増加する時短状態が知られているが、確変状態等の継続中に持球数や上記差分が上限数に達する場合がある。このような場合に手持遊技媒体の精算がなされてしまうと、大当りまであと少しというところで遊技が中止されてしまい、遊技者に大きな落胆を与えてしまうおそれがある。
【００６１】
そこで、第９の発明に係るカード式の弾球遊技機は、遊技媒体として遊技球が用いられる弾球遊技機として構成されており、遊技制御手段は、始動口への入球に起因して乱数を抽出すると共に、該乱数に基づき大当り抽選を行い、該大当り抽選に当選すると、大入賞口の開放を伴う大当り遊技を行い、大当り抽選の当選に起因して、大当り抽選の当選確率と、始動口への入球確率とのうちの少なくとも一方が上昇する特典状態に移行すると共に、予め定められた条件が満たされると、該特典状態を終了させ、更新条件とは、カウント手段によりカウントされた持球の数が上限数に達し、且つ、特典状態が終了しているという条件であること、を特徴とする。
【００６２】
こうすることにより、持球数や上記差分が上限数に達した場合であっても、確変状態や時短状態が終了するまでは遊技を継続することができ、遊技者に満足感を与えることができる。また、確変状態等の継続中に大当りに当選することで、上限数を超える利益を得ることが可能となるため、遊技者に対しより一層出玉感を与えることができる。
【００６３】
なお、カード式の遊技機は、上限数の設定を受け付ける上限数受付手段をさらに備えていても良い（第１０の発明）。
このような構成によれば、パチンコ店にて上限数を自由に設定することができ、出球率を柔軟に調整することが可能となる。
【００６４】
また、弾球遊技機では、確変状態や時短状態の継続中は大当り抽選に当選し易くなり、該状態への移行により遊技者は多くの遊技球を獲得することができる。
また、カード式の遊技機は、遊技媒体として遊技球が用いられる弾球遊技機として構成されており、遊技制御手段は、始動口への入球に起因して乱数を抽出すると共に、該乱数に基づき大当り抽選を行い、該大当り抽選に当選すると、大入賞口の開放を伴う大当り遊技を行い、大当り抽選の当選に起因して、大当り抽選の当選確率と、始動口への入球確率とのうちの少なくとも一方が上昇する特典状態に移行すると共に、予め定められた条件が満たされると、該特典状態を終了させ、更新条件とは、特典状態が終了するという条件であること、を特徴としても良い（第１１の発明）。
【００６５】
こうすることにより、確変状態や時短状態が終了し、遊技者がある程度の利益を得た時点で施設使用料等を徴収することができるため、施設使用料等を支払うことへの遊技者の不満を抑えることができる。
【００６６】
また、従来、確変状態等が終了した時点で持球を全て交換するルールを設け、持たせ遊技に一定の制限を課しているパチンコ店が存在する。そして、このようなパチンコ店では、店員が各弾球遊技機の遊技状態を監視し、確変状態等が終了した際に店員が弾球遊技機のもとを訪れて持球を交換していた。
【００６７】
しかしながら、第１１の発明に係るカード式の遊技機によれば、確変状態等が終了した時点で自動的に精算がなされるため、店員が各弾球遊技機を監視したり、持球を交換する必要が無くなり、パチンコ店の運営コストを大幅に低下させることができる。
【００６８】
また、遊技者がパチンコ店の閉店時間になっても遊技をやめようとしない場合があり、従来は、このような場合、店員は強制的に遊技者に遊技を終了させていた。
そこで、第１２の発明に係るカード式の遊技機は、現在の時刻を特定する特定手段をさらに備え、更新条件とは、特定手段により、予め定められた時刻が特定されるという条件である。
【００６９】
このような構成によれば、閉店時間となった際に、パチンコ店の店員を煩わすこと無く遊技を終了させることができ、店員の手間を省くことができる。
また、更新条件とは、貸出手段により手持遊技媒体の貸し出しがなされたという条件であっても良い（第１３の発明）。
【００７０】
こうすることにより、球貸しがなされ、遊技が開始される際に施設使用料等が徴収されるため、全ての遊技者から平等に施設利用料等を徴収することができ、遊技者の不満を抑えることができる。
【００７１】
また、遊技中に瞬間停電等が発生すると、手持遊技媒体の数を示すデータが消失したり、電源状態が不安定になることにより正常な遊技が行われず、遊技を継続していた遊技者に損失を与えてしまうおそれがある。
【００７２】
そこで、第１４の発明に係るカード式の遊技機は、当該遊技機への電力供給の停止を検出する検出手段と、当該遊技機への電力供給の停止後、一定期間にわたり当該遊技機の各部位に電力を供給する供給手段と、をさらに備え、更新条件とは、検出手段により、当該遊技機への電力供給の停止が検出されたという条件である。
【００７３】
このような構成によれば、遊技機への電力供給が停止した際に手持遊技媒体の精算がなされるため、瞬間停電等の影響により手持遊技媒体の数を示すデータの消失等が生じたとしても、遊技者に損失が生じることを防ぐことができる。
【００７４】
さらに、第１５の発明に係るカード式の遊技機は、発射装置により遊技盤に発射された遊技媒体である遊技球を回収し、回収した遊技球を発射装置により再度発射することで、内部に封入された所定数の遊技球を循環的に使用して遊技を行う封入式の弾球遊技機として構成されており、払出手段は、更新条件が満たされると、さらに、その時点における手持遊技媒体の数を記憶媒体に保存し、カード式の遊技機は、当該遊技機への電力供給が開始されると、払出手段により記憶媒体に保存された手持遊技媒体の数を取得する取得手段をさらに備え、遊技制御手段は、当該遊技機への電力供給が開始されると、取得手段により取得された数の手持遊技媒体を用いて遊技を進行させる。
【００７５】
このような封入式の弾球遊技機によれば、電力供給が停止すると、手持遊技媒体の数を示すデータが記憶媒体に退避され、その後、電力供給が回復すると、記憶媒体から該データが読み出され、該データが示す手持遊技媒体の数に基づき遊技が再開される。このため、瞬間停電等による電力供給の停止から復帰した際、電力供給の停止前と同様にして遊技を行うことが可能となる。
【００７６】
なお、カード式の遊技機は、発射装置により遊技盤に発射された遊技媒体である遊技球を回収し、回収した遊技球を発射装置により再度発射することで、内部に封入された所定数の遊技球を循環的に使用して遊技を行う封入式の弾球遊技機として構成されていても良い（第１６の発明）。
【００７７】
こうすることにより、セキュリティ性が向上する等といった封入式の弾球遊技機の利点を享受しつつ、遊技者に十分な出玉感を与えることができる。
【図面の簡単な説明】
【００７８】
【図１】第１実施形態のパチンコ機の正面図である。
【図２】第１実施形態のパチンコ機の発射装置の構成を示す説明図である。
【図３】第１実施形態のパチンコ機の裏面図である。
【図４】第１実施形態のパチンコ機の電気的構成を示すブロック図である。
【図５】第１実施形態のメインルーチンについてのフローチャートである。
【図６】第１実施形態の始動口入賞確認処理についてのフローチャートである。
【図７】第１実施形態の当否判定処理についてのフローチャートである。
【図８】第１実施形態の当否判定処理についてのフローチャートである。
【図９】第１実施形態の当否判定処理についてのフローチャートである。
【図１０】第１実施形態の当否判定処理についてのフローチャートである。
【図１１】第１実施形態の持球数加減算処理についてのフローチャートである。
【図１２】第１実施形態の演出表示装置に表示される持球数の表示態様を示す説明図である。
【図１３】第１実施形態の計数処理についてのフローチャートである。
【図１４】第１実施形態の持球情報処理についてのフローチャートである。
【図１５】第１実施形態の貸出処理についてのフローチャートである。
【図１６】第１実施形態の更新条件判定処理１，図柄設定処理についてのフローチャートである。
【図１７】第１実施形態の更新条件判定処理２，上限数設定処理についてのフローチャートである。
【図１８】第１実施形態の更新条件判定処理３についてのフローチャートである。
【図１９】第１実施形態の更新条件判定処理４についてのフローチャートである。
【図２０】第１実施形態の更新条件判定処理５についてのフローチャートである。
【図２１】第２実施形態のパチンコ機の電気的構成を示すブロック図である。
【図２２】第２実施形態の持球情報処理についてのフローチャートである。
【図２３】第２実施形態の停電復帰処理についてのフローチャートである。
【図２４】第２実施形態の強制終了処理１についてのフローチャートである。
【図２５】第２実施形態の強制終了処理２についてのフローチャートである。
【図２６】第２実施形態の総貸出数カウント処理についてのフローチャートである。
【図２７】第２実施形態の遊技続行操作受付処理についてのフローチャートである。
【図２８】第２実施形態の強制終了処理３についてのフローチャートである。
【図２９】第２実施形態の強制終了処理４についてのフローチャートである。
【発明を実施するための形態】
【００７９】
以下、本発明の実施形態について図面を用いて説明する。なお、本発明の実施の形態は、下記の実施形態に何ら限定されることはなく、本発明の技術的範囲に属する限り種々の形態を採りうる。
【００８０】
［第１実施形態］
［構成の説明］
本発明を適用した第１実施形態の遊技機たるパチンコ機を説明する。本パチンコ機は、機台内に所定数の遊技球が封入されており、封入された遊技球を遊技盤の遊技領域に向けて発射するとともに、入賞した遊技球（入賞球）、入賞しなかったアウト球に関わらず発射された遊技球を回収し、回収した遊技球を再度発射することで内部の遊技球を循環的に使用して遊技を行う構成（封入式）となっている。
【００８１】
図１に示すように、パチンコ機１は、縦長の固定外郭保持枠をなす外枠１０にて構成の各部を保持する構造としてある。外枠１０には、左側の上下の位置に設けたヒンジ１０１を介して、板ガラス１１０が嵌め込まれた前枠（ガラス枠）１１および図略の内枠が開閉可能に設けてある。なお、これら前枠１１および前記内枠は、シリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
【００８２】
前枠１１の板ガラス１１０の奥には、前記内枠に保持された遊技盤２が設けてある。
前枠１１の下部の左右両側位置には、それぞれ、スピーカ１１２が設置してあり、これらにより遊技音が出力され、遊技の趣向性を向上させる。また、前枠１１には、遊技状態に応じて発光する枠側装飾ランプ１１３のほか、遊技の異常を報知するＬＥＤ類が設けてある。
【００８３】
前枠１１の下半部の右側には、発射ハンドル１４が設けてあり、該発射ハンドル１４を時計回りに操作することにより、前枠１１の上部左端に設けられた発射装置３１が作動し、左斜め上方から遊技盤２に向けて遊技球が発射される。
【００８４】
本パチンコ機１には、記憶媒体（例えばＩＣカード）にアクセスするカードユニット（ＣＲユニット）６０が併設されており、このＩＣカードには、遊技球を貸出し可能な金額（残高）を示す残高情報や、遊技者の持球の数を示す持球情報や、遊技者の持球数から算出された払出金額を示す払出金額情報が保存される。
【００８５】
そして、パチンコ機１は、ＣＲユニット６０を介してＩＣカードにアクセスし、読み出した残高情報が示す残高に基づき遊技者に持球を貸し出すと共に、遊技終了時等に払出金額を算出してＩＣカードに保存するカード式のパチンコ機として構成されている。
【００８６】
なお、パチンコ機１にＩＣカードを挿入する挿入部を設け、ＣＲユニット６０を経由すること無く、パチンコ機１から直接ＩＣカードにアクセスする構成としても良い。
ＣＲユニット６０に関連して、パチンコ機１には、前枠１１の下半部の左側に貸出ＳＷ１７１、返却ＳＷ１７２および残高表示装置１７３が設けてある。
【００８７】
また、貸出ＳＷ１７１、返却ＳＷ１７２、および残高表示装置１７３に隣接して、遊技者が操作可能な遊技ボタン１５と、その外周を囲むようにジョグダイヤル１６が設置されている。
【００８８】
遊技盤２には、レール体２０１によって囲まれた遊技領域２０が形成されている。遊技領域２０には、その中央部にセンターケースが装着され、センターケースには、演出図柄表示装置２１（全体の図示は省略）のＬＣＤパネルが配設されている。また、センターケースには、周知のものと同様にワープ入口、ワープ樋（遊技球通路）、ステージなどが設けられている。
【００８９】
演出図柄表示装置２１の左右両側位置には、遊技球が通過可能な通過ゲート２２がそれぞれ設置されている。また、演出図柄表示装置２１の中央下方位置には、常時上方へ向かって開口し、遊技球の入球が可能な第１特別図柄始動口（以下、第１特図始動口という）２３と、その直下位置には、普通電動役物（普電役物）により開閉可能であり、開放時にのみ入球可能の第２特別図柄始動口（以下、第２特図始動口という）２４が設けられている。
【００９０】
前記第１特図始動口２３及び第２特図始動口２４は、特別図柄(以下、単に特図という)の大当り抽選（当否判定）を実行する始動口である。各第１及び第２の特図始動口２３，２４は、遊技球が入球すると複数種類の乱数が抽出され、抽出された乱数は特図の保留記憶として記憶される。
【００９１】
第２特図始動口２４は、前記通過ゲート２２への遊技球の通過に起因して実行される普通図柄（以下、単に普図という）の抽選で当りとなることにより前記普電役物が所定の時間開放する。
【００９２】
第１及び第２特図始動口２３，２４の左右両側位置には、複数の普通入賞口２６が配されている。また、第２特図始動口２４の下方には、開閉板にて開閉される大入賞口２５が配され、盤面最下部にはアウト口２９が設けられている。
【００９３】
尚、遊技盤２の遊技領域２０には、多数の遊技釘が植設されている。
図２に示すように、発射装置３１は、中央に発射台３１０が設けられ、該発射台３１０へは球送り機構３１２の作動により開口部３１３を経て遊技球Ｂが一球ずつ送り出される。そして、発射モータ３１４により駆動する発射槌３１１の作動により遊技球Ｂを打ち出して、遊技盤２の遊技領域２０へ向けて発射する。
【００９４】
図３に示すように、パチンコ機１の裏側は、前記遊技盤２を脱着可能に取付ける内枠３０が収納されている。内枠３０は、前記前枠１１と同様に、一方の側縁（図３の右側）の上下位置が前記外枠１０にヒンジ結合され、開閉可能に設置されている。
【００９５】
そして、前枠１１の裏面および内枠３０には、主制御装置４０、払出制御装置４１、サブ統合制御装置４２、演出図柄制御装置４３、発射装置３１、電源基板（図略）が設けられている。
【００９６】
主制御装置４０、サブ統合制御装置４２、発射装置３１および演出図柄制御装置４３は遊技盤２の裏面に設けられ、払出制御装置４１、電源基板は内枠３０に設けられている。
なお、電源基板には、例えば、大容量のコンデンサ等から構成された補助電源（特許請求の範囲における供給手段に相当）が設けられており、パチンコ機１の稼動中に該補助電源に電力が充電されると共に、パチンコ機１への電力供給が停止されると、該補助電源から各部位に電力が供給される構成となっている。これにより、パチンコ機１は、電力供給が停止した場合であっても一定期間にわたり動作を継続することができ、瞬間停電が発生しても遊技を継続することができる。
【００９７】
また、パチンコ機の裏面には下部に、遊技盤に発射された遊技球を回収し、回収した遊技球を研磨する研磨装置４５が設置されており、更に、研磨した遊技球をパチンコ機の下部から上部の前記発射装置３１へ送る揚送装置３３が、内枠３０の裏面右側に沿って上下方向に設置されている。
【００９８】
図４は、本パチンコ機１の電気的構成を示すもので、遊技の制御を司る主制御装置４０を中心に、副制御装置として払出制御装置４１、サブ統合制御装置４２および演出図柄制御装置４３を具備する構成である。主制御装置４０、払出制御装置４１、サブ統合制御装置４２および演出図柄制御装置４３においては、何れもＣＰＵ，ＲＯＭ，ＲＡＭ，入力ポート，出力ポート等を備え、これら制御装置は、何れもＣＰＵにより、２ｍｓ周期又は４ｍｓ周期の割り込み信号に起因してＲＯＭに搭載しているメインルーチンおよびサブルーチンからなるプログラムが開始され、各種の制御が実行される。
【００９９】
主制御装置４０は、前枠（ガラス枠）１１、内枠３０が開放しているか否か検出するガラス枠開放ＳＷ（スイッチ）５０１および内枠開放ＳＷ５０２と電気的に接続され、遊技盤中継端子板５４１を介して、第１特図始動口２３への入球を検出する第１始動口ＳＷ５０３、第２特図始動口２４への入球を検出する第２始動口ＳＷ５０４、普図通過ゲート２２への入球を検出する普通図柄作動ＳＷ５０５、左右の各普通入賞口２６への入球を検出する左入賞口ＳＷ５０６及び右入賞口ＳＷ５０７、大入賞口２５への入球を検出するカウントＳＷ５０８、第１，第２特図始動口２３，２４や大入賞口２５ないし普通入賞口２６等の各入賞口へ入賞した入賞球を検出する入賞球センサ５０９、入賞することなくアウトとなったアウト球を検出するアウト球センサ５１０、不正行為を検出するための磁石センサ５１１及び電波センサ５１２等と電気的に接続され、各ＳＷ，センサからの検出信号が入力される。
【０１００】
尚、前記入賞球センサ５０９は、第１，第２特図始動口２３，２４や、大入賞口２５ないし普通入賞口２６等の各入賞口へ入賞した入賞球を回収し、前記研磨装置４５へ送るため、遊技盤の裏面に設けられた球通路の下流部に設置され、各入賞口への入賞球を一括して検出するように構成されている。
【０１０１】
前記アウト球センサ５１０は、アウト口２９から研磨装置４５へアウト球を送る球通路に設けられている。
主制御装置４０は、搭載しているプログラムに従って動作して、上述の検出信号などに基づいて遊技の進行に関わる各種のコマンドを生成し、払出制御装置４１，サブ統合制御装置４２，演出図柄制御装置４３へ向けてのコマンドの出力や、図柄表示装置中継端子板５４２を介して特図表示装置２７、特図保留数表示装置２７１、普通図柄表示装置２８及び普図保留数表示装置２８１の表示制御を行う。尚、これら表示装置２７，２７１，２８，２８１は、遊技盤２の前面の遊技領域２０の外部に設けてある。
【０１０２】
また、主制御装置４０は、遊技盤中継端子板５４１を介して大入賞口ソレノイド５１３を駆動して大入賞口２５を開放作動せしめ、普電役物ソレノイド５１４を駆動して第２特図始動口２４の普電役物を開閉する。
【０１０３】
主制御装置４０は、払出制御装置４１と双方向通信が可能に接続されている。
また、主制御装置４０には、時計機能が設けられている。なお、払出制御装置４１，ＣＲユニット６０を経由してホールコンピュータ５００から現在の時刻を示す時刻情報を取得する構成としても良い。
【０１０４】
払出制御装置４１は、ＣＲユニット端子板５４８を介してＣＲユニット６０と通信可能に接続されている。また、残高表示装置１７３を介して、貸出ＳＷ１７１，返却ＳＷ１７２による貸出要求，返却要求の操作信号を受付けるように構成されている。払出制御装置４１は、前記貸出要求，返却要求の操作信号に基づいて、ＣＲユニット６０との間で通信を行い、ＣＲユニット６０に挿入されたＩＣカードに関する残高情報の把握や、貸出要求信号に応じた貸出し球数の設定や、返却要求信号に応じて残高情報の返却処理等を行う。
【０１０５】
ＣＲユニット６０は、遊技施設のホールコンピュータ５００と通信可能に設続され、払出制御装置４１との通信内容に基づいてパチンコ機１の遊技情報をホールコンピュータ５００へ送信するように構成されている。
【０１０６】
また、払出制御装置４１は、発射操作部中継端子板５４３を介して、持球数を計数する操作を行なう計数ＳＷ１７４の操作信号や、前記発射ハンドル１４の操作量を検出するハンドルボリューム５２０の操作量検出信号や、発射停止ＳＷ５２２の停止検出信号や、発射ハンドル１４に遊技者が接触（操作）していることを検出するタッチＳＷ５２１等の検出信号が入力される。
【０１０７】
更に、払出制御装置４１は、発射装置中継端子板５４４を介して、前記発射装置３１の入口での遊技球の有無を検出する発射入口センサ５２４や、発射モータ３１４や、前記球送り機構３１２を駆動する球送りソレノイド５２６が接続されている。そして、払出制御装置４１は、主制御装置４０から送られてくる遊技状況が反映されたコマンドや、前記ハンドルボリューム５２０，タッチＳＷ５２１，発射停止ＳＷ５２２，発射入口センサ５２４の信号等に基づいて、発射モータ３１４，球送りソレノイド５２６を駆動制御し、遊技球を発射および停止させる。
【０１０８】
更にまた、払出制御装置４１は、前記ＣＲユニット６０との通信処理や、遊技球の発射に関する制御の他、研磨装置中継端子板５４５を介してカセットスイッチ５２７と研磨モータセンサ５２８の検出信号が入力され、これら検出信号に応じて、カセットモータ５２９および研磨モータ５３０を駆動し、前記研磨装置４５を制御せしめる構成である。
【０１０９】
また、研磨装置４５の制御の他に、払出制御装置４１は、揚上中継端子板５４６を介して揚上入口センサ５３２と揚上モータ監視センサ５３３の検出信号が入力され、これら検出信号に応じて揚上モータ５３１を駆動し、前記揚送装置３３を制御せしめる。
【０１１０】
更に、払出制御装置４１には、内枠中継端子板５４７を介して、パチンコ機１内の遊技球の適正量を検出する適正量検出センサ５３４、満タンセンサ５３５、および夜間監視スイッチ５３６等の検出信号が入力される構成である。
【０１１１】
サブ統合制御装置４２には、ジョグダイヤル１６および遊技ボタン１５の操作を検出する検出信号が入力される。
そして、サブ統合制御装置４２は、スピーカ１１２を駆動して音声を出力することや、各種ＬＥＤや各種ランプ１１３の点灯、消灯等を制御する。更に、演出図柄制御装置４３へキャラクタなどを表示する擬似演出や特図の擬似図柄の表示態様のコマンドを送信する。
【０１１２】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【０１１３】
本パチンコ機１において遊技を開始する場合、ＩＣカードの残高情報の範囲内で遊技球の貸出しを行い、これを遊技に使用することが可能な持球として遊技を開始する。また、これ以外にも、ＣＲユニット６０へのＩＣカード挿入時に、該ＩＣカードに持球数の記憶がある場合には、これを読み取り、持球として遊技を開始する。
【０１１４】
パチンコ機１の遊技は、第１，第２特図始動口２３，２４への入球があると、これに起因して特図当否判定用の乱数値が抽出され、該乱数値に基づいて当否判定を行い、特図表示装置２７において特図の図柄変動を開始すると共に、演出図柄表示装置２１において特図に対応する擬似演出図柄の図柄変動を開始する。
【０１１５】
前記特図の判定結果が大当りであれば、大当り図柄を決めて各表示装置２１，２７に大当り図柄を確定表示し、大当り遊技（特別遊技）を実行する。大当り遊技は、大入賞口２５を開放し、所定の時間または入球数が所定数に達して閉じるまでの動作を１ラウンドとして、所定数のラウンドを継続することを基本遊技としている。
【０１１６】
尚、第２特図始動口２４の普電役物は、通過ゲート２２への入球に起因して普図の当否抽選が実施され、当否抽選の結果が当りであれば開放される。
また、本パチンコ機１は、大当り遊技後に、遊技状態が特別図柄の当選確率が高確率となる「確変」機能が付与された遊技状態（確変状態）や、第２特図始動口２４の普電役物の開放時間が延長される「開放延長」機能が付与された遊技状態（時短状態）へと移行可能な構成である。
【０１１７】
なお、パチンコ機１は、特定の図柄で大当りとなった際に確変状態や時短状態に移行する構成となっていても良いし、大当りとなった後に必ず確変状態等に移行する構成となっていても良い。また、大当りとなった際の図柄（当り図柄）に応じて確変状態等の継続期間が定められる構成としても良いし、当り図柄に関らず、確変状態等が所定期間にわたり継続する構成としても良い。
【０１１８】
そして、本パチンコ機１は、演出図柄表示装置２１において、遊技に応じて特図の変動に伴う演出表示を実施するとともに、遊技に使用することが可能な遊技球としての持球数の表示と、賞球数を表示する構成とされている。
【０１１９】
［動作の説明］
以下、主制御装置４０および払出制御装置４１で実行される本発明に関わりの深いプログラム処理について説明する。
【０１２０】
（１）メインルーチンについて
図５は、主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【０１２１】
正常割り込みなら（Ｓ１００：ｙｅｓ）、初期値乱数更新処理（Ｓ１０１），特図の当否判定用の乱数値である大当り決定用乱数の更新処理（Ｓ１０２），特図の大当り図柄決定用乱数の更新処理（Ｓ１０３），普図の当り判定用乱数の更新処理（Ｓ１０４），特図のリーチに関するリーチ判定用乱数の更新処理（Ｓ１０５），特図の変動パターンに関する変動パターン決定用乱数の更新処理（Ｓ１０６），入賞確認処理（Ｓ１０７），当否判定処理（Ｓ１０８），各出力処理（Ｓ１０９），不正監視処理（Ｓ１１０）を行って、次に割り込み信号が入力されるまでの残余時間内には初期乱数更新処理（Ｓ１１１）をループ処理する。
【０１２２】
次に、前記の入賞確認処理（Ｓ１０７）、当否判定処理（Ｓ１０８）および各出力処理（Ｓ１０９）の一部のサブルーチンについて説明する。
（２）始動入賞確認処理について
図６に示す「始動入賞確認処理」は、前記入賞確認処理（Ｓ１０７）のサブルーチンで、第１特図始動口２３および第２特図始動口２４への入球があれば（Ｓ２００：ｙｅｓ）、入球に対応する特図の保留記憶が満杯か確認する（Ｓ２０１）。第１実施形態における記憶可能な保留記憶数は４個である。
【０１２３】
保留記憶が満杯でなければ（Ｓ２０１：ｎｏ）、Ｓ２０２の抽出乱数保留記憶処理において、前記入球に起因して抽出した複数の乱数値（大当り決定用乱数，大当り図柄決定用乱数，リーチ判定用乱数，変動パターン決定用乱数等）を保留記憶として記憶する。また、この処理では、第１又は第２特図保留数表示装置２７１，２７２の点灯数を１つ増加させるとともに、サブ統合制御装置４２へ現在の保留記憶数を送信するコマンドの送信処理を行う。その後、リターンする。
【０１２４】
（３）当否判定処理について
図７ないし図１０は、「当否判定処理」のフローチャートを示す。図７に示すように「当否判定処理」は、先ず、役物連続作動装置の作動を確認して大当り遊技中であるか否かを確認し（Ｓ３００）、大当り遊技中でなければ（Ｓ３００：ｎｏ）、第１、第２特図が変動中であるか否かを確認し（Ｓ３０１）、変動中でなければ（Ｓ３０１：ｎｏ）、第１、第２特図の確定図柄が表示中であるか否かを確認する（Ｓ３０２）。尚、前記役物連続作動装置が作動中（Ｓ３００：ｙｅｓ）であれば「特別遊技処理」に移行する。
【０１２５】
前記Ｓ３０２の処理で確定図柄が表示中でなければ（Ｓ３０２：ｎｏ）、図８に示すように、特図の保留記憶があるか否かを確認する（Ｓ３１０）。保留記憶がなければ（Ｓ３１０：ｎｏ）、「特別遊技処理」に移行する。保留記憶があれば（Ｓ３１０：ｙｅｓ）、記憶数を減算し、保留記憶のシフト処理を行う（Ｓ３１１）。該シフト処理により特図の保留記憶のうち最も古い保留記憶が当否判定の対象となる。
【０１２６】
次に、Ｓ３１２の処理で、確変フラグを確認して現在の遊技状態が確変状態（高確率）であるか否かを確認する（確変フラグが「１」であれば確変中）。確変中であれば（Ｓ３１２：ｙｅｓ）、確変時の当否判定用テーブルと前記当否判定の対象となる保留記憶の大当り決定用乱数とを対比して大当りか否か当否判定を行う（Ｓ３１３）。
【０１２７】
確変中でなければ（Ｓ３１２：ｎｏ）、通常確率（低確率）の当否判定用テーブルと前記大当り決定用乱数とを対比して大当りか否か当否判定を行う（Ｓ３１４）。
続くＳ３１５の処理では、Ｓ３１３又はＳ３１４の処理の当否判定が大当りか否かの確認を行う。
【０１２８】
大当りであれば（Ｓ３１５：ｙｅｓ）、Ｓ３１６の処理において、前記当否判定の対象となる保留記憶の大当り図柄決定用乱数に基づいて大当り図柄を決定する。
Ｓ３１７の処理では、前記当否判定の対象となる保留記憶の変動パターン決定用乱数に基づいて、演出図柄表示装置２１に表示される特図の大当り用の変動時間などといった変動パターンを決定する。
【０１２９】
変動パターンの決定後、Ｓ３１８で大当り設定処理を行う。この処理では、前記決定された大当り図柄に基づき、大当り遊技の開放パターンの設定を行う。例えば、演出図柄表示装置２１で実行される大当り遊技のオープニング演出の時間の設定、エンディング演出の時間の設定、および大入賞口２５の開放態様の設定がなされる。更に、大当り遊技終了後の特典遊技状態として確変と時短が付与されるか否かの設定、確変の継続期間を制限する確変カウンタの設定、時短の継続期間を制限する時短カウンタ設定等の処理がなされる。
【０１３０】
Ｓ３１５の処理において、大当りでなくハズレであれば（Ｓ３１５：ｎｏ）、Ｓ３１９の処理において、前記当否判定の対象となる保留記憶のハズレ図柄決定用乱数に基づいてハズレ図柄を決定し、続いて、演出図柄表示装置２１に表示される特図のハズレ用の変動時間などといった変動パターンを決定する（Ｓ３２０）。続くハズレ設定処理（Ｓ３２１）では、遊技状態が確変，時短であれば、これらの継続期間をカウントする確変回数と時短回数を減算する。
【０１３１】
Ｓ３１８又はＳ３２１の各設定処理の後、Ｓ３２２の処理では、特図表示装置２７の図柄変動開始制御を行い、サブ統合制御装置４２へ図柄の変動開始コマンド，図柄指定コマンドを送信し、「特別遊技処理」へ移行し大当り時には大入賞口２５を開放する大当り遊技が実施される。
【０１３２】
前記図７のＳ３０１の処理で特図の変動中のときは（Ｓ３０１：ｙｅｓ）、図９に示すように、図柄の変動時間が経過したことを確認すると（Ｓ３３０：ｙｅｓ）、確定図柄表示処理（Ｓ３３１）において、特図表示装置２７の変動表示を終了させる制御を行い、サブ統合制御装置４２および演出図柄制御装置４３へ変動表示および演出表示を終了させるように図柄確定コマンドを送信し、「特別遊技処理」へ移行する。
【０１３３】
前記図７のＳ３０２の処理で確定図柄を表示中であれば（Ｓ３０２：ｙｅｓ）、図１０のＳ３４０の処理に移行して、確定図柄表示時間が終了したか否かを確認する。確定図柄表示時間が終了していなければ（Ｓ３４０：ｎｏ）、「特別遊技処理」へ移行する。
【０１３４】
一方、確定図柄表示時間が終了したことを確認すると（Ｓ３４０：ｙｅｓ）、確定図柄表示終了の処理（Ｓ３４１）により特図表示装置２７の特図の確定図柄表示を終了させる制御を行い、サブ統合制御装置４２へ特図に対応する擬似図柄の確定表示を終了させるようにコマンドを送信する。
【０１３５】
続いて、特図の図柄が大当りになる組合せであるか否かを確認し（Ｓ３４２）、大当りになる組合せであったときは（Ｓ３４２：ｙｅｓ）、確変フラグが「１」であれば（Ｓ３４３：ｙｅｓ）、確変フラグに「０」をセットする（Ｓ３４４）。次に、時短フラグが「１」であれば（Ｓ３４５：ｙｅｓ）、時短フラグに「０」をセットする（Ｓ３４６）。これらの処理により、大当り遊技（特別遊技）中での遊技状態を通常状態にリセットする。
【０１３６】
Ｓ３４７の処理では条件装置の作動を開始させ、Ｓ３４８の処理では役物連続作動装置の作動を開始させる。条件装置は大当り遊技で役物連続作動装置の作動に必要な装置であり、役物連続作動装置は特別電動役物を連続して作動させる装置である。
【０１３７】
そして、大当り開始演出処理（Ｓ３４９）により、サブ統合制御装置４２へ大当り演出を開始させるようにコマンドを送信し、「特別遊技処理」に移行する。
Ｓ３４２の処理で、大当りになる組合せでなければ（Ｓ３４２：ｎｏ）、確変フラグが「１」であるか否かを確認し（Ｓ３５０）、確変フラグが「１」であり（Ｓ３５０：ｙｅｓ）、確変カウンタ（回数）が「０」であれば（Ｓ３５１：ｙｅｓ）、確変フラグを「０」にセットする（Ｓ３５２）。
【０１３８】
続く処理で時短フラグが「１」であり（Ｓ３５３：ｙｅｓ）、時短カウンタ（回数）が「０」であれば（Ｓ３５４：ｙｅｓ）、時短フラグを「０」にセットする（Ｓ３５５）。
続くＳ３５６の状態指定コマンド送信処理では、遊技状態を示す確変フラグや時短フラグの情報等を含む状態指定コマンドを、サブ統合制御装置４２へ送信する。
【０１３９】
Ｓ３５７の処理では、今回の当否判定後の保留記憶数が「０」であるか確認し（保留記憶が有るか無いか確認）、保留記憶が無ければ（Ｓ３５７：ｙｅｓ）、サブ統合制御装置４２へ向けて、次に前記特図変動開始コマンドが出力されるまで特図の図柄変動を待機するように指示する待機状態指定コマンドを送信する（Ｓ３５８）。その後、「特別遊技処理」に移行する。
【０１４０】
（４）持球数加減算処理について
次に、演出図柄表示装置２１の持球数の表示に関して、主制御装置４０で実行されるプログラム処理について説明する。図１１に示す「持球数加減算処理」は、前記「メインルーチン」の「各出力処理」のサブルーチンであり、「持球数加減算処理」では先ず、主制御装置４０において遊技に使用可能な遊技球である持球情報（持球の数を示す情報）の記憶が無いか否かを確認する（Ｓ４００）。持球情報が無ければ（Ｓ４００：ｙｅｓ）、続くＳ４０１の処理において、ＣＲユニット６０へのＩＣカード挿入時にカードに持球数の記憶がある場合にカードから読み出された持球情報、又はカードに持球数の記憶がなく遊技者により新規ないし追加により持球として遊技球の貸出しがなされた持球情報を、払出制御装置４１を介して受信したか否かを確認し、持球情報の受信を待つ。
【０１４１】
持球情報の受信があれば（Ｓ４０１：ｙｅｓ）、主制御装置４０内のＲＡＭなどの記憶媒体に受信した持球情報を保存する（Ｓ４０２）。
なお、主制御装置４０は、持球情報の記憶の有無に関らず、球貸し等に応じた持球情報の受信があればこれを保存するか、或いは、既に保存されている持球情報が示す持球数に新たに受信した持球情報が示す持球数を加算し、該持球情報を更新する構成としても良い。
【０１４２】
Ｓ４００の処理で持球情報の記憶があれば（Ｓ４００：ｎｏ）、続くＳ４０３の処理において、第１，第２始動口ＳＷ５０３，５０４、左，右入賞口ＳＷ５０６，５０７、カウントＳＷ５０８の検出信号により第１，第２特図始動口２３，２４や、大入賞口２５ないし普通入賞口２６への入賞があったか否かを確認する。入賞が検出されれば（Ｓ４０３：ｙｅｓ）、入賞に応じて付与される賞球の数を持球数に加算し、持球情報を更新する（Ｓ４０４）。次に、前記賞球数を演出図柄表示装置２１に表示させる準備（処理）を行う（Ｓ４０５）。
【０１４３】
前記Ｓ４０３の処理において入賞の検出が無ければ（Ｓ４０３：ｎｏ）、入賞球センサ５０９による入賞球の検出、又はアウト球センサ５１０によるアウト球の検出があったか否かを確認する（Ｓ４０６）。入賞球又はアウト球の検出があれば（Ｓ４０６：ｙｅｓ）、持球数から１を減算して持球情報を更新する（Ｓ４０７）。
【０１４４】
そして、続くＳ４０８の処理において、前記Ｓ４０２で記憶した持球情報、又はＳ４０７で更新された持球情報、Ｓ４０４での賞球数の情報がサブ統合制御装置４２を介して演出図柄制御装置４３へ送信され、演出図柄制御装置４３の制御により現在の遊技状態の前記持球数と前記賞球数とを演出図柄表示装置２１に表示させる。
【０１４５】
図１２に示すように演出図柄表示装置２１の表示画面には、特図に関する擬似図柄表示（３桁の数字）２１０の右下部において上下二段に持球情報を表示せしめる。下部には持球数２１１を、上部には賞球表示２１２を表示せしめる。尚、該表示態様は一表示例であり、これに限らず他の表示態様でもよい。
【０１４６】
（５）計数処理について
遊技の終了は、遊技者が前記計数ＳＷ１７４を操作することでなされる。図１３に示す「計数処理」は、遊技の終了に関して主制御装置４０で実行される処理である。この処理は、先ず、計数ＳＷ１７４が操作され、計数信号を受信したか否かを確認する（Ｓ５００）。この場合、計数ＳＷ１７４は払出制御装置４１と接続されており、計数信号は主制御装置４０へ払出制御装置４１を介して送信される。
【０１４７】
計数信号の受信があれば（Ｓ５００：ｙｅｓ）、続くＳ５０１の待機処理において、遊技盤を流下中の遊技球があると正確な持球数の算出ができないため、全ての遊技球が回収されるのに充分な所定の時間を待機とする。
【０１４８】
そして、Ｓ５０２の処理において、全ての遊技球が回収されるのに充分な時間経過後に、前記「持球数加減算処理」により更新された持球情報（持球数）を払出制御装置４１へ送信する。その後、主制御装置４０の持球情報をクリアする（Ｓ５０３）。
【０１４９】
（６）持球情報処理について
次に、持球情報に関して払出制御装置４１で実行されるプログラム処理である「持球情報処理」について、図１４を用いて説明する。なお、本処理は、払出制御装置４１にて定期的に実行される。
【０１５０】
Ｓ６００では、払出制御装置４１は、パチンコ機１への電力供給の開始時か否かを判定し、肯定判定が得られた場合には（Ｓ６００：Ｙｅｓ）、Ｓ６０１に処理を移行すると共に、否定判定が得られた場合には（Ｓ６００：Ｎｏ）、Ｓ６０２に処理を移行する。
【０１５１】
Ｓ６０１では、払出制御装置４１は、ＣＲユニット６０に対し、例えば、後述する更新条件判定処理３によりパチンコ機１への電力供給停止時等にＣＲユニット６０に挿入されているＩＣカードに保存された持球情報の送信を要求し、Ｓ６０２に処理を移行する。
【０１５２】
なお、後述する実施例３の更新条件判定処理３が行われない場合には、Ｓ６００，Ｓ６０１の処理を省略しても良い。
Ｓ６０２では、払出制御装置４１は、ＣＲユニット６０から、ＩＣカード挿入時にＩＣカードから読み出された持球情報や、Ｓ６０１での送信要求に応じて送信された持球情報を受信したか否かを判定する。そして、肯定判定が得られた場合には（Ｓ６０２：Ｙｅｓ）、Ｓ６０３に処理を移行し、否定判定が得られた場合には（Ｓ６０２：Ｎｏ）、Ｓ６０４に処理を移行する。
【０１５３】
Ｓ６０３では、払出制御装置４１は、主制御装置４０に受信した持球情報を送信し、本処理を終了する。なお、持球情報を受信した主制御装置４０では、「持球数加減算処理」のＳ４０２，Ｓ４０８の処理が行われる。
【０１５４】
一方、Ｓ６０４では、払出制御装置４１は、遊技終了時の「計数処理」のＳ５０２の処理や後述する「更新条件判定処理１〜４」により、主制御装置４０から持球情報を受信したか否かを判定する。そして、肯定判定が得られた場合には（Ｓ６０４：Ｙｅｓ）、Ｓ６０５に処理を移行し、否定判定が得られた場合には（Ｓ６０４：Ｎｏ）、Ｓ６０７に処理を移行する。
【０１５５】
Ｓ６０５では、払出制御装置４１は、交換ルールに従い、受信した持球情報が示す持球数から払出金額を算出し、Ｓ６０６に処理を移行する。
パチンコ機１では、所定数の持球の払出金額を、後述する貸出ルールに従い同数の遊技球の球貸しを行った際の貸出金額よりも低くなるように算出する交換ルールが定められている。これにより、払出金額を算出する段階で、遊技者から施設使用料等の付加料金を徴収することができる。
【０１５６】
この交換ルールの具体例としては、例えば、後述する貸出ルールにおいて、球貸しの際の遊技球１球あたりの単価が、基本単価と付加料金とを加算した金額となっている場合であれば、基本単価に持球数を乗算して得られた金額を、払出金額とすることが考えられる。
【０１５７】
また、このほかにも、球貸し時の単価よりも低い単価を持球数に乗算して得られた金額を払出金額としても良い。また、持球数に１未満の所定の係数を乗算して得られた値や、持球数から所定値を減算して得られた値と、球貸し時の単価とを乗算して得られた金額を、払出金額としても良い。
【０１５８】
なお、後述する実施例１，２，５のように、遊技者の持球数を減じることで付加料金を徴収するということも考えられ、このような場合には、球貸しの際と同じ単価で払出金額を算出することが考えられる。
【０１５９】
Ｓ６０６では、払出制御装置４１は、算出した払出金額をＣＲユニット６０に送信すると共に、ＣＲユニット６０に対し該払出金額をＩＣカードに保存することを指示し、本処理を終了する。なお、払出金額を受信したＣＲユニット６０は、該払出金額を示す払出金額情報をＩＣカードに保存し、遊技者は、例えば、該ＩＣカードをパチンコ店の店員に提示することで、該ＩＣカードに保存されている払出金額分の景品を取得する。
【０１６０】
一方、Ｓ６０７では、払出制御装置４１は、遊技を終了するために計数ＳＷ１７４が操作されたか否を判定し、肯定判定が得られた場合には（Ｓ６０７：Ｙｅｓ）、Ｓ６０８に処理を移行すると共に、否定判定が得られた場合には（Ｓ６０７：Ｎｏ）、本処理を終了する。
【０１６１】
Ｓ６０８では、払出制御装置４１は、主制御装置４０に対し、計数ＳＷ１７４が操作されたことを示す計数信号を送信し、本処理を終了する。なお、計数信号を受信した主制御装置４０は、上述した「計数処理」により、持球情報の払出制御装置４１への送信等を実行する。
【０１６２】
（７）貸出処理について
次に、遊技球を持球として貸し出すプログラム処理である「貸出処理」について、図１５を用いて説明する。なお、本処理は、払出制御装置４１にて定期的に実行される。
【０１６３】
Ｓ７００では、払出制御装置４１は、貸出ＳＷ１７１の操作の有無を判定し、肯定判定が得られた場合には（Ｓ７００：Ｙｅｓ）、Ｓ７０１に処理を移行すると共に、否定判定が得られた場合には（Ｓ７００：Ｎｏ）、本処理を終了する。
【０１６４】
Ｓ７０１では、払出制御装置４１は、貸出ＳＷ１７１の操作に対応する貸出金額（球貸しの際に遊技者が支払う金額）を特定し、ＣＲユニット６０に貸出金額を送信する。貸出金額を受信したＣＲユニット６０は、ＩＣカードに保存されている残高情報が示す残高から貸出金額を減額し、残高情報を更新すると共に、球貸しが可能である旨を払出制御装置４１に送信する。なお、残高が貸出金額に満たない場合には、球貸しが不可能である旨を払出制御装置４１に送信する。
【０１６５】
Ｓ７０２では、払出制御装置４１は、ＣＲユニット６０から、球貸しが可能である旨を受信したか否かを判定し、肯定判定が得られた場合には（Ｓ７０２：Ｙｅｓ）、Ｓ７０３に処理を移行すると共に、否定判定が得られた場合には（Ｓ７０２：Ｎｏ）、本処理を終了する。
【０１６６】
Ｓ７０３では、払出制御装置４１は、貸出ルールに従い、貸出金額に応じた遊技球の数（貸球数）を算出する。具体的には、例えば、遊技球１球あたりの料金である基本単価（例えば４円）と、遊技球１球につき設定された施設使用料等の付加料金（例えば１円）とを加算した金額を単価とし、貸出金額を該単価で除算した数を貸球数としても良い。
【０１６７】
なお、付加料金は２球以上の所定数の遊技球につき設定されていても良く、このような場合であれば、所定数の遊技球を貸し出す度に付加料金が課されることになる。
また、貸出ルールは、例えば、交換時の遊技球１球あたりの単価よりも高い単価で貸球数を算出するという内容であっても良い。
【０１６８】
続くＳ７０４では、払出制御装置４１は、主制御装置４０に対し、球貸しがなされた旨と、算出した貸球数分の持球数を示す持球情報を送信し、本処理を終了する。なお、持球情報を受信した主制御装置４０では、「持球数加減算処理」のＳ４０２，Ｓ４０８の処理が行われ、主制御装置４０が保持している持球数に貸球数が加算される。
【０１６９】
（８）更新処理について
第１実施形態のパチンコ機１では、予め定められた更新条件が満たされると更新処理が行われる。この更新処理とは、遊技を中止して持球情報が示す持球数分の払出金額をＩＣカードに保存するといったものや、持球数を減少させるといったものであり、これにより、パチンコ店は施設使用料等の徴収が可能となり、さらには、持たせ遊技を制限して過度な出玉を抑止すること等が可能となる。
【０１７０】
以下では、更新処理を行う際の実施例１〜５について説明するが、第１実施形態のパチンコ機１では、以下に説明する実施例のうちのいずれかを実行するか、或いは、これらの実施例のうちの全部または一部を適宜組合せて実行することが考えられる。
【０１７１】
＜実施例１＞
実施例１では、パチンコ機１の遊技に関する各種状態に基づき定められた更新条件が設けられている。
【０１７２】
まず、主制御装置４０にて行われる「更新条件判定処理１」について、図１６（ａ）に記載のフローチャートを用いて説明する。なお、「更新条件判定処理１」は、「メインルーチン」の「各出力処理」のサブルーチンとして構成されている。
【０１７３】
Ｓ８００では、主制御装置４０は、遊技に関する各種状態に基づき定められた更新条件が満たされたか否かを判定し、肯定判定が得られた場合には（Ｓ８００：Ｙｅｓ）、Ｓ８０１に処理を移行すると共に、否定判定が得られた場合には（Ｓ８００：Ｎｏ）、本処理を終了する。
【０１７４】
具体的には、該更新条件とは、例えば、大当り遊技が終了したという条件であっても良いし、交換図柄（予め定められた特別図柄或いは擬似図柄）が停止表示された大当りによって開始された大当り遊技が終了したという条件であっても良い。また、確変状態、時短状態、或いは、確変状態且つ時短状態である遊技状態（特典状態）が終了した（大当り遊技以外の通常の遊技中に、確変フラグや時短フラグが１から０に変化した）という条件であっても良い。
【０１７５】
Ｓ８０１では、主制御装置４０は、更新処理を行い、本処理を終了する。
具体的には、更新処理とは、例えば、払出制御装置４１に対し、現時点の持球数を示す持球情報を送信すると共に、該持球数の精算を指示し、さらに、主制御装置４０に記憶されている現在の持球情報をクリアして遊技を中止するといった内容であっても良い。なお、持球情報を受信した払出制御装置４１は、上述した「持球情報処理」のＳ６０５，Ｓ６０６により、交換ルールに従い払出金額を算出し、ＣＲユニット６０に対し払出金額をＩＣカードに保存することを指示する。
【０１７６】
このほかにも、更新処理とは、例えば、持球数を予め定められた割合で減少させる、或いは、持球数から所定数の遊技球数を減算するという処理であっても良い。なお、これに加えて、主制御装置４０は、払出制御装置４１に対し、減少後の持球数を示す持球情報を送信すると共に、該持球数の精算を指示し、さらに、主制御装置４０に記憶されている現在の持球情報をクリアして遊技を中止しても良い。
【０１７７】
ここで、減少させる割合や、減算する所定数は、例えば、持球数や、現在の持球数から貸球の総数を減算した差分（換言すれば、遊技者の実質的な利益）に応じて設定されても良い。そして、該差分が例えば０以下の場合等には、持球数を減少させない構成としても良い。
【０１７８】
なお、貸球の総数とは、例えば、使用中のＩＣカードを用いて貸し出された貸球の総数であっても良い。このような場合であれば、主制御装置４０は、払出制御装置４１を介してＣＲユニット６０へのＩＣカードの挿入を検出した後、該検出から該ＩＣカードが排出されるまでの間において、遊技球の貸し出しに応じて払出制御装置４１から受信した持球情報が示す持球数の総和を、貸球の総数として算出しても良い。
【０１７９】
また、貸球の総数とは、パチンコ機１での遊技の継続期間中に貸し出された貸球の総数であっても良いし、所定時間内に貸し出された貸球の総数であっても良い。
次に、交換図柄が停止表示された大当りによって開始された大当り遊技が終了したという更新条件が設けられている場合において、交換図柄を設定する「図柄設定処理」について、図１６（ｂ）に記載のフローチャートを用いて説明する。なお、「図柄設定処理」は、「メインルーチン」の「各出力処理」のサブルーチンとして構成されている。
【０１８０】
Ｓ９００では、主制御装置４０は、交換図柄を設定する図柄設定操作を受け付けたか否かを判定し、肯定判定が得られた場合には（Ｓ９００：Ｙｅｓ）、Ｓ９０１に処理を移行すると共に、否定判定が得られた場合には（Ｓ９００：Ｎｏ）、本処理を終了する。
【０１８１】
なお、図柄設定操作とは、例えば、主制御装置４０に接続された図示しないディップスイッチ等の操作部を介して行われる操作であっても良い。また、図柄設定操作は、パチンコ機１が設置されたパチンコ店の店員により行われることが想定され、このような操作部は、パチンコ機１の内部に配置することが考えられる。
【０１８２】
Ｓ９０１では、主制御装置４０は、図柄設定操作に対応する図柄を交換図柄として設定し、本処理を終了する。
なお、パチンコ機１は、「図柄設定処理」を行わず、常に予め定められた図柄を交換図柄として用いても良い。
【０１８３】
＜実施例２＞
実施例２では、通常状態（特典状態でない遊技状態）中に持球数や、現在の持球数から貸球の総数を減算した差分が上限数に達したこと等を更新条件としている。
【０１８４】
まず、主制御装置４０にて行われる「更新条件判定処理２」について、図１７（ａ）に記載のフローチャートを用いて説明する。なお、「更新条件判定処理２」は、「メインルーチン」の「各出力処理」のサブルーチンとして構成されている。
【０１８５】
Ｓ８１０では、主制御装置４０は、持球数が上限数に達したか否かを判定し、肯定判定が得られた場合には（Ｓ８１０：Ｙｅｓ）、Ｓ８１１に処理を移行すると共に、否定判定が得られた場合には（Ｓ８１０：Ｎｏ）、本処理を終了する。
【０１８６】
なお、主制御装置４０は、Ｓ８１０において、現在の持球数から貸球の総数を減算して差分を算出し、持球数に替えて、該差分が上限数に達したか否かを判定しても良い。
Ｓ８１１では、主制御装置４０は、確変フラグや時短フラグの状態に基づき特典状態が終了したか否かを判定し、肯定判定が得られた場合には（Ｓ８１１：Ｙｅｓ）、Ｓ８１２に処理を移行すると共に、否定判定が得られた場合には（Ｓ８１１：Ｎｏ）、本処理を終了する。
【０１８７】
なお、主制御装置４０は、特典状態中に大当りとなり、大当り遊技が開始された場合は、該大当り遊技中は特典状態が継続しているものとみなしても良い。このとき、該大当り遊技の終了後も特典状態が継続するという可能性もあり、このような場合には、大当りを跨いで特典状態が継続することになる。
【０１８８】
また、Ｓ８１１の処理を省略し、遊技状態に関らず、持球数や上記差分が上限数に達した際にＳ８１２の処理が実行される構成としても良い。
Ｓ８１２では、主制御装置４０は、実施例１と同様の更新処理を行い、本処理を終了する。
【０１８９】
次に、上限数を設定する「上限数設定処理」について、図１７（ｂ）に記載のフローチャートを用いて説明する。なお、「上限数設定処理」は、「メインルーチン」の「各出力処理」のサブルーチンとして構成されている。
【０１９０】
Ｓ９１０では、主制御装置４０は、上限数を設定する上限数設定操作を受け付けたか否かを判定し、肯定判定が得られた場合には（Ｓ９１０：Ｙｅｓ）、Ｓ９１１に処理を移行すると共に、否定判定が得られた場合には（Ｓ９１０：Ｎｏ）、本処理を終了する。
【０１９１】
なお、上限数設定操作とは、例えば、主制御装置４０に接続された図示しないディップスイッチ等の操作部を介して上限数を段階的に設定する操作であっても良い（無論、上限数を直接入力する操作であっても良い）。また、上限数設定操作は、パチンコ機１が設置されたパチンコ店の店員により行われることが想定され、このような操作部は、パチンコ機１の内部に配置することが考えられる。
【０１９２】
Ｓ９１１では、主制御装置４０は、上限数設定操作に応じて上限数を設定し、本処理を終了する。
＜実施例３＞
実施例３では、パチンコ機１への電力供給が停止したことを更新条件としている。以下では、主制御装置４０にて行われる「更新条件判定処理３」について、図１８に記載のフローチャートを用いて説明する。なお、「更新条件判定処理３」は、「メインルーチン」の「各出力処理」のサブルーチンとして構成されている。
【０１９３】
Ｓ８２０では、主制御装置４０は、電源基板からの信号に基づき、パチンコ機１への電力供給が停止したか否かを判定し、肯定判定が得られた場合には（Ｓ８２０：Ｙｅｓ）、Ｓ８２１に処理を移行すると共に、否定判定が得られた場合には（Ｓ８２０：Ｎｏ）、本処理を終了する。
【０１９４】
Ｓ８２１では、主制御装置４０は、電力供給の停止から予め定められた待機時間が経過したか否かを判定し、肯定判定が得られた場合には（Ｓ８２１：Ｙｅｓ）、Ｓ８２２に処理を移行すると共に、否定判定が得られた場合には（Ｓ８２１：Ｎｏ）、本処理を終了する。
【０１９５】
なお、上述したように、電源基板には、電力供給停止後、一定期間にわたり各部位に電力を供給する補助電源が設けられているが、上記待機時間とは、補助電源による電力供給が可能な時間未満に設定することが考えられる。具体的には、例えば、補助電源による電力供給が可能な時間が、およそ３０秒程度であると考えられる場合であれば、上記待機時間を１５秒程度とすることが考えられる。
【０１９６】
Ｓ８２２では、主制御装置４０は、更新処理を行い、Ｓ８２３に処理を移行する。
具体的には、更新処理とは、例えば、払出制御装置４１に対し、現時点の持球数を示す持球情報を送信すると共に、該持球数の精算を指示し、さらに、主制御装置４０に記憶されている現在の持球情報をクリアして遊技を中止するといった内容であっても良い。なお、持球情報を受信した払出制御装置４１は、上述した「持球情報処理」のＳ６０５，Ｓ６０６により、交換ルールに従い払出金額を算出し、ＣＲユニット６０に対し払出金額をＩＣカードに保存することを指示する。
【０１９７】
Ｓ８２３では、主制御装置４０は、払出制御装置４１に対し、Ｓ８２２にて送信した持球情報をＩＣカードに保存することを指示し、持球情報をＩＣカードに退避させた後に本処理を終了する。なお、本指示を受け取った払出制御装置４１は、先に受信した持球情報をＣＲユニット６０に送信し、該持球情報をＩＣカードに保存することを指示する。
【０１９８】
その後、パチンコ機１への電力供給が再開された場合には、払出制御装置４１は、上述した「持球情報処理」のＳ６０１，Ｓ６０３にて、ＣＲユニット６０から退避させた持球情報を取得し、該持球情報を主制御装置４０に送信する。そして、主制御装置４０は、退避させた持球情報により遊技を再開する。
【０１９９】
なお、更新条件判定処理３にて持球情報の退避を行わない構成としても良い。
＜実施例４＞
実施例４では、パチンコ機１が設置されたパチンコ店の閉店時刻の到来を更新条件としている。以下では、主制御装置４０にて行われる「更新条件判定処理４」について、図１９に記載のフローチャートを用いて説明する。なお、「更新条件判定処理４」は、「メインルーチン」の「各出力処理」のサブルーチンとして構成されている。
【０２００】
Ｓ８３０では、主制御装置４０は、時計機能により現在の時刻を特定し、Ｓ８３１に処理を移行する。
Ｓ８３１では、主制御装置４０は、パチンコ店の閉店時刻（或いは、閉店時刻の例えば１０分前の時刻）が到来したか否かを判定し、肯定判定が得られた場合には（Ｓ８３１：Ｙｅｓ）、Ｓ８３２に処理を移行すると共に、否定判定が得られた場合には（Ｓ８３１：Ｎｏ）、本処理を終了する。
【０２０１】
Ｓ８３２では、主制御装置４０は、実施例３と同様の更新処理を行い、本処理を終了する。
＜実施例５＞
実施例５では、球貸しが行われたことを更新条件としている。以下では、主制御装置４０にて行われる「更新条件判定処理５」について、図２０に記載のフローチャートを用いて説明する。なお、「更新条件判定処理５」は、「メインルーチン」の「各出力処理」のサブルーチンとして構成されている。
【０２０２】
Ｓ８４０では、主制御装置４０は、払出制御装置４１から球貸しがなされた旨の通知を受け取ったか否かを判定し、肯定判定が得られた場合には（Ｓ８４０：Ｙｅｓ）、Ｓ８４１に処理を移行すると共に、否定判定が得られた場合には（Ｓ８４０：Ｎｏ）、本処理を終了する。
【０２０３】
Ｓ８４１では、主制御装置４０は、更新処理を行い、本処理を終了する。
ここで、更新処理とは、例えば、持球数を予め定められた割合で減少させる、或いは、持球数から所定数の遊技球数を減算するという処理であっても良い。
【０２０４】
ここで、減少させる割合や、減算する所定数は、例えば、持球数や、現在の持球数から貸球の総数を減算した差分（換言すれば、遊技者の実質的な利益）に応じて設定されても良い。そして、該差分が例えば０以下の場合等には、持球数を減少させない構成としても良い。
【０２０５】
［効果］
第１実施形態のパチンコ機１によれば、ＩＣカードに保存された残高情報に基づき球貸しがなされると共に、更新条件が成立すると、その時点の持球数に応じた払出金額が算出されてＩＣカードに保存され、該ＩＣカードに保存された払出金額により景品との交換がなされる。
【０２０６】
また、この払出金額は、例えば、遊技球１球あたりの単価が球貸しの際の１球あたりの単価よりも低くなるように算出されたり、持球数を減じた後に算出されるため、パチンコ店は、払出金額を算出する段階で施設使用料等の付加料金を徴収することができる。このため、仮にパチンコ機１の出玉率を１００％以上にしたとしても、パチンコ店の経営上必要となる料金を確実に徴収することができる。
【０２０７】
さらに、更新条件が満たされると、持球が精算されて払出金額がＩＣカードに保存され、遊技が終了される構成となっており、実施例１〜５や貸出処理において実行される更新処理を適宜実行することで、持たせ遊技に制限を課すことや、停電等のトラブルから遊技者の持球を保護すること等が可能となる。
【０２０８】
これにより、パチンコ店に不利益が生じることを回避しつつ出玉率を向上させることや、遊技者の手持遊技媒体を確実に保護して出玉感が損なわれることを回避することができ、遊技者に十分な出玉感を与えることが可能となる。
【０２０９】
［第２実施形態］
［構成の説明］
次に、第２実施形態の封入式のパチンコ機の構成について説明する（図２１参照）。
【０２１０】
第２実施形態のパチンコ機１は、第１実施形態のパチンコ機１と同様の構成を有しているが、貸出ＳＷ１７１，返却ＳＷ１７２，残高表示装置１７３が設けられていない点や、主制御装置４０に接続された持球数表示部４６を備える点で相違している。
【０２１１】
また、ＣＲユニット６０に関しても、第２実施形態では、タッチパネルや液晶ディスプレイ等から構成され、貸出金額の設定を受け付けると共に、設定された貸出金額や貸し出される遊技球数（貸出数）を表示するタッチパネル部６１が設けられている点で第１実施形態と相違している。
【０２１２】
また、ＣＲユニット６０は、金銭の投入が可能な構成となっており、挿入されたＩＣカードに記憶されている残高情報、或いは、投入された金額の範囲内で、タッチパネル部６１を介して貸出金額の入力を受け付け、球貸しを行う構成となっている。そして、球貸しの際には、ＣＲユニット６０からパチンコ機１の払出制御装置４１に対し、球貸しがなされた旨の情報と、貸出数分の持球数を示す持球情報（球貸し情報）が送信される。
【０２１３】
なお、ＣＲユニット６０は、金銭が投入された場合には、投入金額をＩＣカードに記憶されている残高情報に加算し、球貸しがなされた場合には、ＩＣカードの残高情報から貸出金額を減額する構成としても良い。また、投入された金額の範囲内で球貸しを行った場合は、残金を返却する構成としても良い。また、ＣＲユニット６０は、金銭の投入ができず、挿入されたＩＣカードのみにより球貸しが可能な構成となっていても良い。
【０２１４】
また、貸出数分の持球数を示す持球情報に替えて、ＣＲユニット６０からパチンコ機１に対し、貸出金額を示す情報を送信し、パチンコ機１にて該情報に基づき貸出数を算出する構成としても良い。また、ＩＣカードに遊技に使用可能な持球数を示す持球情報が保存されている場合には、ＩＣカードがＣＲユニット６０に挿入された際に該持球情報を読み出し、パチンコ機１に送信しても良い。
【０２１５】
また、パチンコ機１での遊技が終了する際には、パチンコ機１の払出制御装置４１からＣＲユニット６０に対しその時点の持球情報が送信され、ＣＲユニット６０では、該持球情報に基づき精算がなされ、払出金額が挿入されているＩＣカードに記憶される。なお、該持球情報を該ＩＣカードにそのまま記憶する構成としても良い。また、パチンコ機１は、遊技終了時にその時点の持球情報が示す持球数に相当する金額を算出し、持球情報に替えて該金額を示す情報を送信しても良い。
【０２１６】
また、第２実施形態では、第１実施形態と同様にパチンコ機１の電源基板に補助電源が設けられている。なお、停電時は、該補助電源により併設されたＣＲユニット６０に電力を供給する構成としても良いし、ＣＲユニット６０にも同様にして補助電源を設けても良い。
【０２１７】
［動作の説明］
次に、第２実施形態の封入式のパチンコ機１の動作について説明する。
第２実施形態においても、主制御装置４０は、第１実施形態と同様の「メインルーチン」，「始動入賞確認処理」，「当否判定処理」，「特別遊技処理」，「計数処理」等を行うが、「持球数加減算処理」の内容が一部相違している。
【０２１８】
以下では、主制御装置４０における「持球数加減算処理」と、払出制御装置４１の処理について説明する。
（１）持球数加減算処理について
第２実施形態においても、主制御装置４０は、第１実施形態の「持球数加減算処理」とほぼ同様の処理を行うが、Ｓ４０８において、Ｓ４０２で記憶した持球情報が示す持球数を、持球数表示部４６に表示する点で相違している。
【０２１９】
（２）持球情報処理について
次に、持球情報に関して払出制御装置４１で実行されるプログラム処理である「持球情報処理」について、図２２を用いて説明する。なお、本処理は、払出制御装置４１にて定期的に実行される。
【０２２０】
Ｓ１０００では、払出制御装置４１は、パチンコ機１の停電発生後、補助電源による一定時間にわたる動作中に電力供給が回復したか否かを判定し、肯定判定が得られた場合には（Ｓ１０００：Ｙｅｓ）、Ｓ１００１に処理を移行すると共に、否定判定が得られた場合には（Ｓ１０００：Ｎｏ）、Ｓ１００２に処理を移行する。
【０２２１】
なお、Ｓ１０００では、パチンコ機１の停電発生後、補助電源による動作が可能と予想される時間内に電力供給が回復したか否かを判定しても良い。
Ｓ１００１では、払出制御装置４１は、ＣＲユニット６０に対し、後述する強制終了処理４によりパチンコ機１への電力供給停止時等にＣＲユニット６０に退避された持球情報の送信を要求し、Ｓ１００２に処理を移行する。
【０２２２】
Ｓ１００２では、払出制御装置４１は、ＣＲユニット６０から、球貸しに応じて送信された持球情報や、Ｓ１００１での送信要求に応じて送信された持球情報を受信したか否かを判定する。そして、肯定判定が得られた場合には（Ｓ１００２：Ｙｅｓ）、Ｓ１００３に処理を移行し、否定判定が得られた場合には（Ｓ１００２：Ｎｏ）、Ｓ１００６に処理を移行する。
【０２２３】
Ｓ１００３では、払出制御装置４１は、停電発生後、電力供給が回復し、ＣＲユニット６０に対し、退避された持球情報の送信を要求したか否かを判定する。そして、肯定判定が得られた場合には（Ｓ１００３：Ｙｅｓ）、Ｓ１００５に処理を移行し、否定判定が得られた場合には（Ｓ１００３：Ｎｏ）、Ｓ１００４に処理を移行する。
【０２２４】
Ｓ１００４では、払出制御装置４１は、ＣＲユニット６０から受信した持球情報を主制御装置４０に送信し、本処理を終了する。なお、持球情報を受信した主制御装置４０では、「持球数加減算処理」のＳ４０２，Ｓ４０８の処理が行われ、遊技を再開可能な状態となる。
【０２２５】
また、払出制御装置４１は、球貸しによりＣＲユニット６０から持球情報を受信した場合には、持球情報と共に、球貸しがなされた旨を示す情報を主制御装置４０に送信する。
また、後述する強制終了処理１〜４により遊技が強制終了された後は、払出制御装置４１は、ＣＲユニット６０から、球貸しがなされた旨の情報と、持球情報（球貸し情報）を受信すると、Ｓ１００４の処理により該持球情報を主制御装置４０に送信し、遊技を再開させる。しかし、払出制御装置４１は、球貸し以外の要因によりＣＲユニット６０から持球情報を受信しても、該持球情報を主制御装置４０に送信せず、遊技を再開させない。
【０２２６】
また、強制終了後に遊技を再開させる場合、演出図柄表示装置２１に強制終了メッセージが表示されている場合には、主制御装置４０は、サブ統合制御装置４２にコマンドを送信し、強制終了メッセージを消去することが考えられる。
【０２２７】
また、Ｓ１００５では、払出制御装置４１は、後述する「停電復帰処理」を実行し、本処理を終了する。
一方、Ｓ１００６では、払出制御装置４１は、遊技終了時の「計数処理」のＳ５０２の処理や後述する「強制終了処理１〜４」により、主制御装置４０から送信された持球情報を受信したか否かを判定する。そして、肯定判定が得られた場合には（Ｓ１００６：Ｙｅｓ）、Ｓ１００７に処理を移行し、否定判定が得られた場合には（Ｓ１００６：Ｎｏ）、Ｓ１０１０に処理を移行する。
【０２２８】
Ｓ１００７では、払出制御装置４１は、停電中か否かを判定し、肯定判定が得られた場合には（Ｓ１００７：Ｙｅｓ）、Ｓ１００８に処理を移行すると共に、否定判定が得られた場合には（Ｓ１００７：Ｎｏ）、Ｓ１００９に処理を移行する。
【０２２９】
Ｓ１００８では、払出制御装置４１は、受信した持球情報（退避させる持球情報）を保存すると共に、ＣＲユニット６０に送信し、該持球情報をＣＲユニット６０に退避させて本処理を終了する。このとき、払出制御装置４１は、ＣＲユニット６０に対し、停電により持球情報を退避させる旨の情報を送信しても良い。また、持球情報を受信したＣＲユニット６０は、該持球情報をＩＣカードに保存しても良い。
【０２３０】
また、Ｓ１００９では、払出制御装置４１は、受信した持球情報をＣＲユニット６０に送信すると共に、ＣＲユニット６０に対し精算を指示し、本処理を終了する。なお、持球情報を受信したＣＲユニット６０は、持球情報が示す持球数に基づき払出金額を算出し、ＩＣカードに保存する。また、払出制御装置４１にて持球情報が示す持球数に基づき払出金額を算出し、ＣＲユニット６０に送信する構成としても良い。
【０２３１】
一方、Ｓ１０１０では、払出制御装置４１は、遊技を終了するために計数ＳＷ１７４が操作されたか否を判定し、肯定判定が得られた場合には（Ｓ１０１０：Ｙｅｓ）、Ｓ１０１１に処理を移行すると共に、否定判定が得られた場合には（Ｓ１０１０：Ｎｏ）、本処理を終了する。
【０２３２】
Ｓ１０１１では、払出制御装置４１は、主制御装置４０に対し、計数ＳＷ１７４が操作されたことを示す計数信号を送信し、本処理を終了する。なお、計数信号を受信した主制御装置４０は、上述した「計数処理」により、持球情報の払出制御装置４１への送信等を実行する。
【０２３３】
なお、後述する強制終了処理４が行われない場合には、Ｓ１０００，Ｓ１００１，Ｓ１００３，Ｓ１００５の処理を省略しても良い。
（３）停電復帰処理について
次に、停電復帰直後に主制御装置４０に持球情報を送信する「停電復帰処理」について、図２３を用いて説明する。なお、本処理は、「持球情報処理」のサブルーチンとして構成されている。
【０２３４】
Ｓ１０２０では、払出制御装置４１は、退避直前に保存した持球情報が示す持球数と、ＣＲユニット６０から受信した持球情報が示す持球数とが一致するか否かを判定する。そして、肯定判定が得られた場合には（Ｓ１０２０：Ｙｅｓ）、Ｓ１０２１に処理を移行すると共に、否定判定が得られた場合には（Ｓ１０２０：Ｎｏ）、Ｓ１０２２に処理を移行する。
【０２３５】
Ｓ１０２１では、払出制御装置４１は、退避直前に保存した持球情報（或いは、ＣＲユニット６０から受信した持球情報）を主制御装置４０に送信し、本処理を終了する。
また、Ｓ１０２２では、払出制御装置４１は、ＣＲユニット６０から受信した持球情報を主制御装置４０に送信し、本処理を終了する。
【０２３６】
（４）強制終了処理について
第２実施形態のパチンコ機１では、予め定められた条件が満たされると、遊技が強制的に終了され、ＣＲユニット６０にその時点の持球情報が送信される。
【０２３７】
以下では、強制終了処理を行う際の実施例１〜４について説明するが、第２実施形態のパチンコ機１では、以下に説明する実施例のうちのいずれかを実行するか、或いは、これらの実施例のうちの全部または一部を適宜組合せて実行することが考えられる。
【０２３８】
＜実施例１＞
（１）強制終了処理１について
実施例１では、持球数が上限数に達すると、遊技を強制的に終了させて持球を精算させる「強制終了処理１」が行われる。以下では、図２４のフローチャートを用いて「強制終了処理１」について説明する。なお、「強制終了処理１」は、主制御装置４０にて行われ、「メインルーチン」の「各出力処理」のサブルーチンとして構成されている。
【０２３９】
Ｓ１０４０では、主制御装置４０は、持球情報が示す持球数が上限数に近づいた場合（例えば、上限数と持球数との差分が５０未満となった場合）に、持球数と上限数とを表示する等して、強制終了についての予告を行う。
【０２４０】
具体的には、例えば、持球数表示部４６での持球数の表示に加えて、持球数表示部４６にて上限数を表示しても良い。また、サブ統合制御装置４２にコマンドを送信し、演出図柄表示装置２１にて持球数と上限数とを表示しても良い。さらに、上限数と持球数との差分が所定数未満（例えば１０未満）となった場合には、上限数と持球数の色を変えたり点滅表示をする等して、警告表示を行っても良い。
【０２４１】
続くＳ１０４１では、主制御装置４０は、持球情報が示す持球数が上限数に達したか否かを判定し、肯定判定が得られた場合には（Ｓ１０４１：Ｙｅｓ）、Ｓ１０４２に処理を移行すると共に、否定判定が得られた場合には（Ｓ１０４１：Ｎｏ）、本処理を終了する。
【０２４２】
Ｓ１０４２では、主制御装置４０は、払出制御装置４１に現時点の持球情報を送信し、Ｓ１０４３に処理を移行する。なお、持球情報を受信した払出制御装置４１は、上述した「持球情報処理」のＳ１００９により、ＣＲユニット６０に持球情報を送信する。
【０２４３】
Ｓ１０４３では、主制御装置４０は、現在の持球情報を更新し、持球数を０に設定することで遊技を終了させ、本処理を終了する。
なお、主制御装置４０は、遊技を強制終了させる際には、サブ統合制御装置４２にコマンドを送信し、演出図柄表示装置２１に、「もたせ遊技終了」，「持球数をゼロクリアします」，「打ち止め」等の強制終了メッセージを表示し、遊技終了を通知しても良い。
【０２４４】
また、主制御装置４０は、持球情報が示す持球数が上限数に達し、且つ、パチンコ機１が遊技者に有利な状態でない場合（例えば、特典状態でなく、且つ、保留記憶が存在しない場合）に、Ｓ１０４２，Ｓ１０４３の処理を実行する構成としても良い。
【０２４５】
（２）上限数設定処理について
また、実施例１では、主制御装置４０は、第１実施形態と同様の上限数設定処理を実行し、上限数設定操作に応じて上限数を設定する。なお、上限数設定操作を受け付ける操作部は、第１実施形態と同様、パチンコ機１の内部に配置することが考えられる。
【０２４６】
＜実施例２＞
（１）強制終了処理２について
実施例２では、一人の遊技者が継続的に遊技を行う遊技期間中に貸し出された持球の総数（総貸出数）が上限数に達すると、遊技を強制的に終了させて持球を精算させる「強制終了処理２」が行われる。
【０２４７】
以下では、図２５のフローチャートを用いて「強制終了処理２」について説明する。なお、「強制終了処理２」は、主制御装置４０にて行われ、「メインルーチン」の「各出力処理」のサブルーチンとして構成されている。
【０２４８】
Ｓ１０５０では、主制御装置４０は、総貸出数を示す総貸出数情報を参照し、総貸出数が上限数に近づいた場合（例えば、上限数と総貸出数との差分が５０未満となった場合）に、総貸出数と上限数とを表示する等して、強制終了についての予告を行う。
【０２４９】
具体的には、例えば、サブ統合制御装置４２にコマンドを送信し、演出図柄表示装置２１にて総貸出数と上限数とを表示しても良い。さらに、上限数と総貸出数との差分が所定数未満（例えば１０未満）となった場合には、上限数と総貸出数の色を変えたり点滅表示をする等して、警告表示を行っても良い。
【０２５０】
続くＳ１０５１では、主制御装置４０は、総貸出数を示す総貸出数情報を参照すると共に、総貸出数が上限数に達したか否かを判定し、肯定判定が得られた場合には（Ｓ１０５１：Ｙｅｓ）、Ｓ１０５２に処理を移行すると共に、否定判定が得られた場合には（Ｓ１０５１：Ｎｏ）、本処理を終了する。
【０２５１】
Ｓ１０５２では、主制御装置４０は、払出制御装置４１に現時点の持球情報を送信し、Ｓ１０５３に処理を移行する。なお、持球情報を受信した払出制御装置４１は、上述した「持球情報処理」のＳ１００９により、ＣＲユニット６０に持球情報を送信する。
【０２５２】
Ｓ１０５３では、主制御装置４０は、現在の持球情報を更新し、持球数を０に設定することで遊技を終了させ、本処理を終了する。
なお、主制御装置４０は、遊技を強制終了させる際には、サブ統合制御装置４２にコマンドを送信し、演出図柄表示装置２１に、「もたせ遊技終了」，「持球数をゼロクリアします」，「打ち止め」等の強制終了メッセージを表示し、遊技終了を通知しても良い。
【０２５３】
また、主制御装置４０は、総貸出数が上限数に達し、且つ、パチンコ機１が遊技者に有利な状態でない場合（例えば、特典状態でなく、且つ、保留記憶が存在しない場合）に、Ｓ１０５２，Ｓ１０５３の処理を実行する構成としても良い。
【０２５４】
（２）総貸出数カウント処理について
次に、図２６のフローチャートを用いて、総貸出数をカウントする総貸出数カウント処理について説明する。なお、「総貸出数カウント処理」は、主制御装置４０にて行われ、「メインルーチン」の「各出力処理」のサブルーチンとして構成されている。
【０２５５】
Ｓ１０６０では、主制御装置４０は、球貸しがなされたか否か（払出制御装置４１から球貸しがなされた旨の情報と共に持球情報を受信したか否か）を判定する。そして、肯定判定が得られた場合には（Ｓ１０６０：Ｙｅｓ）、Ｓ１０６１に処理を移行すると共に、否定判定が得られた場合には（Ｓ１０６０：Ｎｏ）、本処理を終了する。
【０２５６】
Ｓ１０６１では、主制御装置４０は、持球情報が示す持球数が０より大きい値か否かを判定し、肯定判定が得られた場合には（Ｓ１０６１：Ｙｅｓ）、Ｓ１０６５に処理を移行すると共に、否定判定が得られた場合には（Ｓ１０６１：Ｎｏ）、Ｓ１０６２に処理を移行する。
【０２５７】
Ｓ１０６２では、主制御装置４０は、持球情報が示す持球数が０となった後、予め定められた遊技続行時間が経過したか否かを判定する。なお、遊技続行時間とは、例えば、遊技者が財布から金銭を取り出し、ＣＲユニット６０に対し球貸しのための操作を行うのに必要となる予想時間に一定の猶予時間を加算した時間であっても良く、一例として１分程度とすることが考えられる。
【０２５８】
そして、肯定判定が得られた場合には（Ｓ１０６２：Ｙｅｓ）、Ｓ１０６３に処理を移行すると共に、否定判定が得られた場合には（Ｓ１０６２：Ｎｏ）、Ｓ１０６４に処理を移行する。
【０２５９】
なお、Ｓ１０６２において、持球情報が示す持球数が０となった後、タッチＳＷ５２１により発射ハンドル１４から手が離されたことが検出された時点から遊技続行時間が経過したか否かを判定し、肯定判定が得られた場合にはＳ１０６３に、否定判定が得られた場合にはＳ１０６４に処理を移行する構成としても良い。
【０２６０】
Ｓ１０６３では、主制御装置４０は、遊技者から、遊技を続行する旨の操作（遊技続行操作）を受け付けたか否かを判定する。そして、肯定判定が得られた場合には（Ｓ１０６３：Ｙｅｓ）、Ｓ１０６５に処理を移行すると共に、否定判定が得られた場合には（Ｓ１０６３：Ｎｏ）、Ｓ１０６４に処理を移行する。
【０２６１】
Ｓ１０６４では、主制御装置４０は、総貸出数情報を更新して総貸出数を０に設定し、Ｓ１０６５に処理を移行する。
Ｓ１０６５では、主制御装置４０は、総貸出数情報を更新し、球貸しにより払出制御装置４１から受信した持球情報が示す持球数（換言すれば貸出数）を総貸出数に加算し、本処理を終了する。
【０２６２】
なお、主制御装置４０は、Ｓ１０６３の処理を省略し、持球数が０となった後、所定時間内に球貸しにより持球情報を取得した場合には、同一の遊技者により球貸しがなされたとみなして、該持球情報が示す持球数（貸出数）を総貸出数に加算しても良い。
【０２６３】
また、主制御装置４０は、同一の遊技者による球貸しがなされた際の持球情報を取得すると、該持球情報を保存しておき、強制終了処理２を実行する度に、保存されている持球情報に基づき総貸出数を算出しても良い。
【０２６４】
また、総貸出数とは、同一の遊技者による一連の遊技期間に該遊技者によりなされた球貸しにより貸し出された貸出数の総和と完全に一致することが好適だが、必ずしも完全に一致する必要は無く、例えば、遊技期間における最初の球貸しにおける貸出数を除いたものを総貸出数としても良い。
【０２６５】
（３）遊技続行操作受付処理について
次に、図２７のフローチャートを用いて、持球数が０となった後、遊技続行時間内に、遊技続行操作を受け付ける遊技続行操作受付処理について説明する。なお、「遊技続行操作受付処理」は、主制御装置４０にて行われ、「メインルーチン」の「各出力処理」のサブルーチンとして構成されている。
【０２６６】
Ｓ１０７０では、主制御装置４０は、持球情報を参照し、持球数が０か否かを判定する。そして、肯定判定が得られた場合には（Ｓ１０７０：Ｙｅｓ）、Ｓ１０７１に処理を移行すると共に、否定判定が得られた場合には（Ｓ１０７０：Ｎｏ）、本処理を終了する。
【０２６７】
Ｓ１０７１では、主制御装置４０は、持球数が０となった後、遊技続行時間が経過したか否かを判定し、肯定判定が得られた場合には（Ｓ１０７１：Ｙｅｓ）、Ｓ１０７２に処理を移行すると共に、否定判定が得られた場合には（Ｓ１０７１：Ｎｏ）、本処理を終了する。
【０２６８】
Ｓ１０７２では、主制御装置４０は、サブ統合制御装置４２にコマンドを送信し、演出図柄表示装置２１に、遊技を続行するか否かの問合せを行う問合せ画面を表示させる。
続くＳ１０７３では、主制御装置４０は、操作部を介して遊技続行操作を受け付け、本処理を終了する。なお、該操作部は、主制御装置４０に接続されていても良い。また、該操作部は、払出制御装置４１に接続されていても良く、このような場合には、該操作部の操作信号が、払出制御装置４１を経由して主制御装置４０に送信されることになる。
【０２６９】
（４）上限数設定処理について
また、実施例２では、主制御装置４０は、第１実施形態と同様の上限数設定処理を実行し、上限数設定操作に応じて上限数を設定する。なお、上限数設定操作を受け付ける操作部は、第１実施形態と同様、パチンコ機１の内部に配置することが考えられる。
【０２７０】
＜実施例３＞
（１）強制終了処理３について
実施例３では、特別遊技が終了すると、当り図柄が交換図柄の場合には、遊技を強制的に終了させて持球を精算させる「強制終了処理３」が行われる。以下では、図２８のフローチャートを用いて「強制終了処理３」について説明する。なお、「強制終了処理３」は、主制御装置４０にて行われ、「メインルーチン」の「各出力処理」のサブルーチンとして構成されている。
【０２７１】
Ｓ１０８０では、主制御装置４０は、特別遊技の終了後か否かを判定し、肯定判定が得られた場合には（Ｓ１０８０：Ｙｅｓ）、Ｓ１０８１に処理を移行すると共に、否定判定が得られた場合には（Ｓ１０８０：Ｎｏ）、本処理を終了する。
【０２７２】
Ｓ１０８１では、主制御装置４０は、当り図柄が交換図柄か否かを判定し、肯定判定が得られた場合には（Ｓ１０８１：Ｙｅｓ）、Ｓ１０８２に処理を移行すると共に、否定判定が得られた場合には（Ｓ１０８１：Ｎｏ）、本処理を終了する。
【０２７３】
Ｓ１０８２では、主制御装置４０は、遊技者に有利な状態か否かを判定する。具体的には、特典状態である場合を遊技者に有利な状態とみなしても良いし、保留記憶が存在している状態を遊技者に有利な状態としても良い。また、特別遊技の終了後から、該特別遊技の終了時点で生じていた保留記憶が消化されるまでの期間を、遊技者に有利な状態としても良い。そして、肯定判定が得られた場合には（Ｓ１０８２：Ｙｅｓ）、本処理を終了すると共に、否定判定が得られた場合には（Ｓ１０８２：Ｎｏ）、Ｓ１０８３に処理を移行する。
【０２７４】
Ｓ１０８３では、主制御装置４０は、払出制御装置４１に現時点の持球情報を送信し、Ｓ１０８４に処理を移行する。なお、持球情報を受信した払出制御装置４１は、上述した「持球情報処理」のＳ１００９により、ＣＲユニット６０に持球情報を送信する。
【０２７５】
Ｓ１０８４では、主制御装置４０は、現在の持球情報を更新し、持球数を０に設定することで遊技を終了させ、本処理を終了する。
なお、特別遊技終了後、遊技者に有利な状態である場合には、該状態が終了すると、Ｓ１０８３，Ｓ１０８４の処理が実行され、遊技が強制終了される。
【０２７６】
また、主制御装置４０は、遊技を強制終了させる際には、サブ統合制御装置４２にコマンドを送信し、演出図柄表示装置２１に、「もたせ遊技終了」，「持球数をゼロクリアします」，「打ち止め」等の強制終了メッセージを表示し、遊技終了を通知しても良い。
【０２７７】
また、主制御装置４０は、Ｓ１０８１，Ｓ１０８２の処理を省略し、特別遊技が終了した際には、持球情報をＣＲユニット６０に送信すると共に、持球数を０に設定し、遊技を強制終了させても良い。
【０２７８】
また、主制御装置４０は、Ｓ１０８２の処理を省略し、交換図柄で当りとなった後、特別遊技が終了した際には、持球情報をＣＲユニット６０に送信すると共に、持球数を０に設定し、遊技を強制終了させても良い。
【０２７９】
（２）図柄設定処理について
また、実施例３では、主制御装置４０は、第１実施形態と同様の図柄設定処理を実行し、図柄設定操作に応じて交換図柄を設定する。
【０２８０】
なお、図柄設定操作は、例えば、主制御装置４０に接続された図示しない操作部を介して行われる操作であっても良い。また、例えば、払出制御装置４１に接続された図示しない操作部を介して図柄設定操作を受け付け、払出制御装置４１から主制御装置４０に対し、図柄設定操作がなされた旨を示す操作信号を送信する構成としても良い。
【０２８１】
また、この操作部は、パチンコ店の店員により行われることを想定し、パチンコ機１の内部に配置しても良いし、遊技者による図柄設定操作を受け付け可能となるよう、パチンコ機１の正面側等に配置しても良い。
【０２８２】
＜実施例４＞
実施例４では、パチンコ機１への電力供給が停止すると、遊技を強制的に終了させると共に、持球情報をＣＲユニット６０に退避させる「強制終了処理４」が行われる。以下では、図２９のフローチャートを用いて「強制終了処理４」について説明する。なお、「強制終了処理４」は、主制御装置４０にて行われ、「メインルーチン」の「各出力処理」のサブルーチンとして構成されている。
【０２８３】
Ｓ１０９０では、主制御装置４０は、電源基板からの信号に基づき、パチンコ機１への電力供給が停止したか否かを判定し、肯定判定が得られた場合には（Ｓ１０９０：Ｙｅｓ）、Ｓ１０９１に処理を移行すると共に、否定判定が得られた場合には（Ｓ１０９０：Ｎｏ）、本処理を終了する。
【０２８４】
なお、上述したように、パチンコ機１の電源基板には補助電源が設けられているため、パチンコ機１は、停電後も一定時間にわたり動作することができる。また、停電検出時に、主制御装置４０は、払出制御装置４１を経由して、ＣＲユニット６０に対し、停電が生じたことを示す電力供給停止信号を送信しても良い。
【０２８５】
Ｓ１０９１では、主制御装置４０は、持球情報をＣＲユニット６０に退避させるため、払出制御装置４１に現時点の持球情報を送信し、Ｓ１０９２に処理を移行する。なお、持球情報を受信した払出制御装置４１は、上述した「持球情報処理」のＳ１００８により、ＣＲユニット６０に持球情報を送信し、持球情報を退避させる。
【０２８６】
Ｓ１０９２では、主制御装置４０は、現在の持球情報を更新し、持球数を０に設定することで遊技を終了させ、本処理を終了する。
なお、主制御装置４０は、遊技を強制終了させる際には、サブ統合制御装置４２にコマンドを送信し、演出図柄表示装置２１に、「もたせ遊技終了」，「持球数をゼロクリアします」，「打ち止め」等の強制終了メッセージを表示し、遊技終了を通知しても良い。
【０２８７】
［他の実施形態］
（１）第１実施形態ではパチンコ機１を例に挙げて説明を行ったが、本発明は、封入式として構成されていないカード式のパチンコ機にも適用できる。
【０２８８】
本発明が適用されたパチンコ機は、第１実施形態のパチンコ機１と同様に主制御装置４０や払出制御装置４１等を備え、パチンコ機１と同様にして貸球数や持球情報が管理されるものの、球貸しの際には島設備から供給される遊技球を上皿等に払い出し、該遊技球を用いて遊技が行われる構成とすることが考えられる。
【０２８９】
ただし、該パチンコ機は、外部から遊技球を投入できないよう上皿等が密封された構造となっているのが好ましい。このような場合、該パチンコ機は、島設備から供給された遊技球が用いられるという点で、１台のパチンコ機内に遊技球が封入された封入式と相違することになる。
【０２９０】
すなわち、払出制御装置４１は、「貸出処理」を実行し、貸出ＳＷ１７１が操作された場合には、貸出ルールに従い貸出金額に応じた遊技球の数（貸球数）を算出し、島設備から供給される遊技球のうち、貸球数分の遊技球を上皿に排出する。
【０２９１】
一方、主制御装置４０は、「持球数加減算処理」のＳ４０３〜Ｓ４０７と同様にして、各種入賞口への入賞や、入賞球センサ５０９やアウト球センサ５１０からの信号により持球数をカウントし、持球情報を随時更新する。また、主制御装置４０は、「計数処理」を実行し、計数ＳＷ１７４が操作された場合には、持球情報を払出制御装置４１に送信する。
【０２９２】
また、払出制御装置４１は、主制御装置４０から持球情報を受信すると、「持球情報処理」のＳ６０５，Ｓ６０６と同様にして払出金額を算出してＣＲユニット６０に送信し、ＩＣカードにこれを保存させる。
【０２９３】
さらに、パチンコ機は、実施例１〜５のうちのいずれかを実行するか、或いは、これらの実施例のうちの全部または一部を適宜組合せて実行する。
なお、実施例１〜５の更新条件判定処理１〜５における更新処理（Ｓ８０１，Ｓ８１２，Ｓ８２２，Ｓ８３２）において、主制御装置４０は、例えば、入賞を無効にする、或いは、払出制御装置４１を介して発射装置３１の発射モータ３１４を停止させる等といった遊技を不可能とする処理を行うのが望ましい。
【０２９４】
また、実施例３の更新条件判定処理３に関して、パチンコ機が封入式でない場合には、電力供給停止時に持球情報をＩＣカードに退避させる必要性は低いと考えられるため、Ｓ８２３を省略しても良い。
【０２９５】
このような場合であっても、同様の効果を得ることができる。
（２）さらに、本発明は、第１実施形態と同様に、ＩＣカードに保存された残高情報に基づき遊技メダルの貸し出しを行うと共に、遊技者の遊技メダルの枚数から払出金額を算出して該ＩＣカードに保存するカード式の回胴式遊技機にも適用することができる。このような場合、パチンコ機１の主制御装置４０や払出制御装置４１に替わって、回胴式遊技機を統括制御する主制御基板が各種処理を行うことになる。
【０２９６】
主制御基板は、第１実施形態と同様の「貸出処理」を実行し、遊技者からの指示に応じて、「貸出処理」と同様の貸出ルールに従い貸出金額に応じた遊技メダルの枚数（貸出枚数）を算出する。具体例を挙げると、遊技メダル１球あたりの料金である基本単価（例えば２０円）と、遊技メダル１枚につき設定された施設使用料等の付加料金（例えば５円）とを加算した金額を単価とし、貸出金額を該単価で除算した数を貸球枚数としても良い。
【０２９７】
そして、貸出枚数の遊技メダルを上皿に排出するか、或いは、貸出枚数をクレジット数（遊技に用いることができる遊技メダルの枚数）に加算し、該クレジット数をクレジット情報として保存する。
【０２９８】
なお、本発明が適用された回胴式遊技機では、遊技者の手元にある遊技メダルの枚数（遊技者が遊技に用いることができる遊技メダルの枚数）を、全てクレジット数として管理するのが好適であると考えられる。このため、一般的な回胴式遊技機はクレジット数の上限が５０となっているが、本発明が適用された回胴式遊技機では、遊技者による獲得が想定される遊技メダルの最大枚数を考慮してクレジット数の上限を設定するのが好適であると考えられる。
【０２９９】
また、主制御基板は、遊技メダルのベットや入賞役の成立等に応じてクレジット数をカウントすると共に、クレジット情報を更新する。さらに、遊技者からの指示に応じて、「持球情報処理」と同様の交換ルールに従い、クレジット情報が示すクレジット数に応じた払出金額を算出し、ＩＣカードにこれを保存する。
【０３００】
さらに、回胴式遊技機は、実施例１〜５のうちのいずれかを実行するか、或いは、これらの実施例のうちの全部または一部を適宜組合せて実行する。
なお、本発明を回胴式遊技機に適用した場合においては、遊技球が遊技メダルに、貸球が貸しメダル（回胴式遊技機により貸し出された遊技メダル）に、持球数がクレジット数に、持球情報がクレジット情報に、大当り遊技がボーナスゲームに、確変状態或いは時短状態がＡＴやＲＴ等に相当する。
【０３０１】
このような場合であっても、同様の効果を得ることができる。
（３）第１，第２実施形態のパチンコ機１では、遊技中に計数ＳＷ１７４が押されると、持球から払出金額が算出され、該払出金額がＣＲユニット６０に挿入されているＩＣカードに保存される。しかし、持球のＩＣカードへの保存を指示する持球保存ＳＷをさらに設け、主制御装置４０は、遊技中に持球保存ＳＷが押されると、その時点の持球情報を払出制御装置４１に送信すると共に、該持球情報をクリアしてもよい。そして、持球情報を受信した払出制御装置４１は、ＣＲユニット６０に該持球情報を送信し、ＩＣカードに該持球情報を保存させても良い。
【０３０２】
さらに、持球保存ＳＷの操作信号をＣＲユニット６０にも送信する構成とし、ＣＲユニット６０は、持球保存ＳＷの操作を検出すると、払出制御装置４１からの指示に応じて持球情報をＩＣカードに保存した後、該ＩＣカードを排出しても良い。
【０３０３】
こうすることにより、遊技で獲得した持球を用いて他のパチンコ機で遊技を行うことが可能となる。
（４）第２実施形態のパチンコ機１では、持球数や球貸しのタイミングや遊技者から受け付けた操作に基づき、同一遊技者による遊技期間になされた球貸しであるか否かを判定しているが、これに限定されることは無い。
【０３０４】
具体的には、例えば、パチンコ機１やパチンコ機１の前に設けられた椅子等にカメラ等のセンサを取り付け、持球数が０となった後、遊技者が離席する前にパチンコ機１がＣＲユニット６０から持球情報を取得した場合には、同一遊技者による遊技期間に球貸しがなされたとみなしても良い。
【０３０５】
また、このような判定方法と、第２実施形態に記載の判定方法を組み合わせた方法により、同一遊技者による遊技期間になされた球貸しであるか否かを判定しても良い。
このような場合であっても、同様の効果を得ることができる。
【０３０６】
（５）第２実施形態のパチンコ機１では、停電発生後、電力供給が回復すると、ＣＲユニット６０に対し持球情報の送信を要求することで、退避させた持球情報を取得する構成となっている。
【０３０７】
しかしながら、これに限らず、ＣＲユニット６０は、停電時にパチンコ機１から持球情報を受信すると、以後、例えば周期的なタイミングで、パチンコ機１に対し該持球情報を送信しても良い。そして、パチンコ機１は、補助電源による動作中に電力供給が回復すると、ＣＲユニット６０が送信した持球情報を受信することで、退避させた持球情報を取得しても良い。
【０３０８】
このような構成を有する場合であっても、同様の効果を得ることができる。
［特許請求の範囲との対応］
上記実施形態の説明で用いた用語と、特許請求の範囲の記載に用いた用語との対応を示す。
【０３０９】
第２実施形態における持球数加減算処理のＳ４０２が入出力手段に、Ｓ４０４，Ｓ４０７が更新手段に相当し、計数処理のＳ５０２が入出力手段に、持球情報処理のＳ１００４が入出力手段に相当する。
【０３１０】
また、持球情報処理のＳ１０００，Ｓ１００１が第１復帰手段，第２復帰手段に、停電復帰処理のＳ１０２０が第１復帰手段，第２復帰手段に、Ｓ１０２１が第１復帰手段に、Ｓ１０２２が第２復帰手段に、強制終了処理３のＳ１０９０が検出手段に、Ｓ１０９１，Ｓ１０９２が強制出力手段に相当する。
【符号の説明】
【０３１１】
１…パチンコ機、２…遊技盤、１４…発射ハンドル、１５…遊技ボタン、１６…ジョグダイヤル、２０…遊技領域、２１…演出図柄表示装置、２２…通過ゲート、２３…第１特図始動口、２４…第２特図始動口、２５…大入賞口、２６…普通入賞口、２７…特図表示装置、２７１…特図保留数表示装置、２８…普通図柄表示装置、２８１…普図保留数表示装置、２９…アウト口、３１…発射装置、３３…揚送装置、４０…主制御装置、４１…払出制御装置、４２…サブ統合制御装置、４３…演出図柄制御装置、４５…研磨装置、４６…持球数表示部、６０…ＣＲユニット、６１…タッチパネル部、１７１…貸出ＳＷ、１７２…返却ＳＷ、１７３…残高表示装置、１７４…計数ＳＷ。
【図１】
2014166302.tif 000003
【図２】
2014166302.tif 000004
【図３】
2014166302.tif 000005
【図４】
2014166302.tif 000006
【図５】
2014166302.tif 000007
【図６】
2014166302.tif 000008
【図７】
2014166302.tif 000009
【図８】
2014166302.tif 000010
【図９】
2014166302.tif 000011
【図１０】
2014166302.tif 000012
【図１１】
2014166302.tif 000013
【図１２】
2014166302.tif 000014
【図１３】
2014166302.tif 000015
【図１４】
2014166302.tif 000016
【図１５】
2014166302.tif 000017
【図１６】
2014166302.tif 000018
【図１７】
2014166302.tif 000019
【図１８】
2014166302.tif 000020
【図１９】
2014166302.tif 000021
【図２０】
2014166302.tif 000022
【図２１】
2014166302.tif 000023
【図２２】
2014166302.tif 000024
【図２３】
2014166302.tif 000025
【図２４】
2014166302.tif 000026
【図２５】
2014166302.tif 000027
【図２６】
2014166302.tif 000028
【図２７】
2014166302.tif 000029
【図２８】
2014166302.tif 000030
【図２９】
2014166302.tif 000031